(57)【要約】同一の入力動作に複数のアドレスを対応付けることができ、コンテンツ情報を順次閲覧する場合の操作を簡略化することのできる情報端末装置を提供すること。  制御手段６０は、入力手段２０から入力された入力信号と予め設定されている制御条件とが一致するか否かの判定を行い、一致するとの判定がなされると、ブックマーク情報記憶手段４１に記憶されている複数のアドレスから異なる１つのアドレスを読み出し、無線通信手段５０を介して、読み出したアドレスへ接続し、取得したコンテンツ情報を表示手段３０に表示する。【特許請求の範囲】
【請求項１】
各種情報の入力を受け付ける入力手段と、
ネットワークと無線通信する無線通信手段と、
前記ネットワークにあるコンテンツ情報の格納場所を示す、複数のアドレスを記憶している記憶手段と、
前記コンテンツ情報を表示する表示手段と、
前記入力手段を介して入力された前記各種情報が、予め設定されている制御条件と一致するか否かを判定し、一致するとの判定がなされると、前記複数のアドレスから、異なる１つのアドレスを読み出し、前記無線通信手段を介して前記アドレスが示すコンテンツ情報を取得して、前記表示手段に表示させる制御手段とを有することを特徴とする情報端末装置。
【請求項２】
前記記憶手段は、前記一致するとの判定がなされたときに読み出される対象であるか否かを示す識別情報を前記複数のアドレスと対応付けて記憶しており、
前記制御手段は、前記判定がなされると、前記読み出される対象であることを示す前記識別情報と対応付けられたアドレスから、異なる１つのアドレスを読み出すことを特徴とする請求項１記載の情報端末装置。
【請求項３】
前記記憶手段は、前記識別情報が前記読み出される対象であると設定された順番を記憶しており、前記制御手段は、前記判定がなされると、前記順番に基づいて、前記異なる１つのアドレスを特定することを特徴とする請求項２記載の情報端末装置。
【請求項４】
前記記憶手段は、前記複数のアドレスが示すコンテンツ情報の閲覧回数を記憶しており、前記制御手段は、前記判定がなされると、前記閲覧回数に基づいて、前記異なる１つのアドレスを特定することを特徴とする請求項２記載の情報端末装置。
【請求項５】
前記制御手段は、前記読み出される対象であると最後に設定された前記識別情報に対応付けられた第１のアドレスを読み出したのち、前記判定がなされると、前記読み出される対象であると最初に設定された前記識別情報に対応付けられた第２のアドレスを読み出すことを特徴とする請求項３記載の情報端末装置。
【請求項６】
請求項１乃至５のいずれかに記載の情報端末装置は、携帯電話端末であることを特徴とする情報端末装置。
【請求項７】
各種情報を受け付ける入力ステップと、
ネットワークと無線通信する無線通信ステップと、
前記ネットワークにあるコンテンツ情報の格納場所を示す、複数のアドレスを記憶する記憶ステップと、
前記入力ステップで入力された前記各種情報が、予め設定されている制御条件と一致するか否かを判定する判定ステップと、
前記判定ステップで一致するとの判定がなされると、前記複数のアドレスから、異なる１つのアドレスを読み出すアドレス読み出しステップと、
前記無線通信ステップを介して前記アドレスが示すコンテンツ情報を取得するコンテンツ情報取得ステップと、
前記コンテンツ情報を表示する表示ステップとを有することを特徴とする情報端末制御方法。
【発明の詳細な説明】
【技術分野】
【０００１】  本発明は、インターネット等のネットワークから取得したコンテンツ情報を表示する情報端末装置及び情報端末制御方法に関するものである。
【背景技術】
【０００２】  一般に、パーソナルコンピュータや携帯電話端末等のＷｅｂブラウザは、閲覧頻度の高いコンテンツ情報のアドレスを複数登録しておくことができ、任意のフォルダにそれらのアドレスを分類して整理できる仕組みを持ったブックマーク機能が搭載されていることがよく知られている。【０００３】  また、従来のインターネット端末装置は、複数の選択スイッチに、アドレスをそれぞれ対応付けて記憶させておき、任意の選択スイッチが操作された時に、その選択スイッチに対応付けられたアドレスに基づいてネットワークに接続し、コンテンツ情報の取得を行っている（例えば、特許文献１参照）。
【特許文献１】特開２００３−３０８２６５号公報
【発明の開示】
【発明が解決しようとする課題】
【０００４】  しかしながら、従来のパーソナルコンピュータや携帯電話端末等のＷｅｂブラウザにおいて、フォルダ内に登録されているアドレスに続けて接続し、コンテンツ情報を順次閲覧する場合には、使用者が、所望のアドレスを含むフォルダを選択し、さらに、そのフォルダ内から所望のアドレスを選択する操作を繰り返す必要があった。そのため、コンテンツ情報を順次閲覧する場合に、使用者が行うべき操作が煩雑であるという課題があった。【０００５】  また、従来のインターネット端末装置における１つの選択スイッチには、１つのアドレスしか対応付けることができなかった。そのため、記憶しておきたいアドレスを増やす場合、選択スイッチの数までも増やさなければならないという課題があった。【０００６】  本発明は、従来の問題を解決するためになされたもので、同一の入力動作に複数のアドレスを対応付けることができると共に、コンテンツ情報を順次閲覧する場合の操作を簡略化することのできる情報端末装置及び情報端末制御方法を提供することを目的とする。
【課題を解決するための手段】
【０００７】  本発明の情報端末装置は、各種情報の入力を受け付ける入力手段と、ネットワークと無線通信する無線通信手段と、前記ネットワークにあるコンテンツ情報の格納場所を示す、複数のアドレスを記憶している記憶手段と、前記コンテンツ情報を表示する表示手段と、前記入力手段を介して入力された前記各種情報が、予め設定されている制御条件と一致するか否かを判定し、一致するとの判定がなされると、前記複数のアドレスから、異なる１つのアドレスを読み出し、前記無線通信手段を介して前記アドレスが示すコンテンツ情報を取得して、前記表示手段に表示させる制御手段とを備えた構成を有する。【０００８】  この構成により、同一の入力動作に複数のアドレスを対応付けることができると共に、コンテンツ情報を順次閲覧する場合の操作を簡略化することができる。【０００９】  また、本発明の情報端末装置は、前記記憶手段が、前記一致するとの判定がなされたときに読み出される対象であるか否かを示す識別情報を前記複数のアドレスと対応付けて記憶しており、前記制御手段が、前記判定がなされると、前記読み出される対象であることを示す前記識別情報と対応付けられたアドレスから、異なる１つのアドレスを読み出す構成を有する。【００１０】  この構成により、記憶手段に記憶されている全てのアドレスが示すコンテンツ情報を常に順次閲覧する必要がなく、予め設定されているアドレスが示すコンテンツ情報のみ順次閲覧するため、使用者の利便性を向上させることができる。【００１１】  また、本発明の情報端末装置は、前記記憶手段が、前記識別情報が前記読み出される対象であると設定された順番を記憶しており、前記制御手段が、前記判定がなされると、前記順番に基づいて、前記異なる１つのアドレスを特定する構成を有する。【００１２】  この構成により、複数のコンテンツ情報を予め決まった順番で閲覧する場合における使用者の利便性を向上させることができる。【００１３】  また、本発明の情報端末装置は、前記記憶手段が、前記複数のアドレスが示すコンテンツ情報の閲覧回数を記憶しており、前記制御手段が、前記判定がなされると、前記閲覧回数に基づいて、前記異なる１つのアドレスを特定する構成を有する。【００１４】  この構成により、使用者の嗜好に応じたコンテンツ情報を順次閲覧させることができる。また、本発明の情報端末装置は、前記制御手段が、前記読み出される対象であると最後に設定された前記識別情報に対応付けられた第１のアドレスを読み出したのち、前記判定がなされると、前記読み出される対象であると最初に設定された前記識別情報に対応付けられた第２のアドレスを読み出す構成を有する。【００１５】  この構成により、前記読み出される対象のアドレスが示すコンテンツ情報を巡回して順次閲覧することができる。【００１６】  また、本発明の情報端末装置は、携帯電話端末である構成を有する。【００１７】  この構成により、入力手段の限られた携帯電話端末において、同一の入力動作に複数のアドレスを対応付けることができる共に、コンテンツ情報を順次閲覧する場合の操作を簡略化することができる。【００１８】  また、本発明の情報端末制御方法は、各種情報を受け付ける入力ステップと、ネットワークと無線通信する無線通信ステップと、前記ネットワークにあるコンテンツ情報の格納場所を示す、複数のアドレスを記憶する記憶ステップと、前記入力ステップで入力された前記各種情報が、予め設定されている制御条件と一致するか否かを判定する判定ステップと、前記判定ステップで一致するとの判定がなされると、前記複数のアドレスから、異なる１つのアドレスを読み出すアドレス読み出しステップと、前記無線通信ステップを介して前記アドレスが示すコンテンツ情報を取得するコンテンツ情報取得ステップと、前記コンテンツ情報を表示する表示ステップとを備える。【００１９】  この方法により、同一の入力動作に複数のアドレスを対応付けることができると共に、コンテンツ情報を順次閲覧する場合の操作を簡略化することができる。
【発明の効果】
【００２０】  本発明は、同一の入力動作に複数のアドレスを対応付けることができると共に、コンテンツ情報を順次閲覧する場合の操作を簡略化することのできる情報端末装置及び情報端末制御方法を提供することができるものである。
【図面の簡単な説明】
【００２１】
【図１】本発明の実施の形態１、実施の形態２及び実施の形態３における携帯電話端末の概略構成を示すブロック図
【図２】本発明の実施の形態１、実施の形態２及び実施の形態３における携帯電話端末の詳細構成を示すブロック図
【図３】本発明の実施の形態１及び実施の形態３における携帯電話端末に巡回ブックマークを設定する際の画面例を示す図
【図４】本発明の実施の形態１及び実施の形態３における携帯電話端末のブックマーク情報記憶手段に記憶されている情報テーブルを示す図
【図５】本発明の実施の形態１及び実施の形態３における携帯電話端末のＵＲＬ特定情報記憶手段に記憶されているＵＲＬ特定情報を示す図
【図６】本発明の実施の形態１、実施の形態２及び実施の形態３における携帯電話端末の処理手順を示すフローチャート
【図７】本発明の実施の形態１における携帯電話端末の巡回専用ボタンを押下したときの画面例を示す図
【図８】本発明の実施の形態２における携帯電話端末に巡回グループを作成し、巡回ブックマークを設定する際の画面例を示す図
【図９】本発明の実施の形態２における携帯電話端末のブックマーク情報記憶手段に記憶されている情報テーブルを示す図
【図１０】本発明の実施の形態２における携帯電話端末のＵＲＬ特定情報記憶手段に記憶されているＵＲＬ特定情報１及びＵＲＬ特定情報２を示す図
【図１１】本発明の実施の形態３における携帯電話端末の下方向ボタンを押下したときの画面例を示す図
【符号の説明】
【００２２】  １０  携帯電話端末
２０  入力手段
２１  操作ボタン群
２２  マイクロホン
３０  表示手段
４０  記憶手段
４１  ブックマーク情報記憶手段
４２  ＵＲＬ特定情報記憶手段
５０  無線通信手段
６０  制御手段
Ｂ１１、Ｂ１２、Ｂ１３、Ｂ１４、Ｂ１５  ブックマーク情報
Ｂ２１、Ｂ２２、Ｂ２３、Ｂ２４、Ｂ２５、Ｂ２６  ブックマーク情報
Ｃ１  下カーソルアイコン
【発明を実施するための最良の形態】
【００２３】  以下、本発明の実施の形態について、図面を用いて説明する。【００２４】  （実施の形態１）
本発明の実施の形態１は、情報端末装置が携帯電話端末である場合を例にして説明する。【００２５】  図１は、本発明の実施の形態１における携帯電話端末１０の概略構成を示すブロック図である。【００２６】  携帯電話端末１０は、図示されているように、入力手段２０、表示手段３０、記憶手段４０、無線通信手段５０及び制御手段６０から構成されている。【００２７】  入力手段２０は、外部からの入力動作によって得られる各種情報を入力信号として制御手段６０に送出する。【００２８】  制御手段６０は、入力手段２０から送出された入力信号を受信すると、入力された情報が予め設定された制御条件と一致するか否かの判定を行う。また、制御手段６０は、表示手段３０に表示信号を送出し、表示手段３０に表示信号の内容を表示させることができる。また、制御手段６０は、記憶手段４０に書き込み信号又は読み出し信号を送出することで、記憶手段４０に任意の情報を記憶させることや、記憶手段４０に記憶されている任意の情報を読み出すことができる。また、制御手段６０は、無線通信手段５０に通信要求信号を送出することで、コンテンツ情報を取得することができる。【００２９】  表示手段３０は、制御手段６０から表示信号を受信し、表示信号の内容に従って表示を行う。【００３０】  記憶手段４０は、携帯電話端末１０の基本機能を実行するためのプログラムや、そのプログラムによって作成された情報等を記憶する。また、記憶手段４０は、制御手段６０から書き込み信号を受信すると、書き込み信号の内容に従って、情報を記憶する。さらに、制御手段６０から読み出し信号を受信すると、読み出し信号の内容に従った情報を制御手段６０に読み出し結果信号として送出する。【００３１】  無線通信手段５０は、制御手段６０から通信要求信号を受信すると、通信要求信号の内容に従って無線通信によりネットワークに接続し、取得したコンテンツ情報を制御手段６０に通信応答信号として送出する。【００３２】  図２は、本発明の実施の形態１における携帯電話端末１０の詳細構成を示すブロック図である。図２において、図１と同じ部分には同じ参照符号を付してある。また、図１と同様の構成については説明を省略する。【００３３】  入力手段２０は、操作ボタン群２１とマイクロホン２２とから構成されている。【００３４】  操作ボタン群２１は、複数の操作ボタンから構成されており、外部からの押下動作によって得られる情報を入力信号として制御手段６０に送出する。【００３５】  マイクロホン２２は、外部からの音声入力動作によって得られる情報を入力信号として制御手段６０に送出する。【００３６】  記憶手段４０は、ブックマーク情報記憶手段４１とＵＲＬ特定情報記憶手段４２とから構成されている。【００３７】  ブックマーク情報記憶手段４１は、ブックマークのタイトル名、ネットワークにあるコンテンツ情報のアドレスを示すＵＲＬ（Ｕｎｉｆｏｒｍ  Ｒｅｓｏｕｒｃｅ  Ｌｏｃａｔｏｒ）、入力信号と制御条件とが一致したときに接続するブックマーク（以下、巡回ブックマークという）であるか否かを示す巡回フラグ及び巡回フラグが設定された順番を示す設定番号からなるブックマーク情報を複数記憶することができる。また、ブックマーク情報記憶手段４１は、制御手段６０から書き込み信号を受信すると、書き込み信号の内容に従って、情報を記憶する。さらに、ブックマーク情報記憶手段４１は、制御手段６０から読み出し信号を受信すると、読み出し信号の内容に従った情報を制御手段６０に読み出し結果信号として送出する。【００３８】  ＵＲＬ特定情報記憶手段４２は、ブックマーク情報記憶手段４１に複数記憶されているブックマーク情報のうち、１つのブックマーク情報のＵＲＬを特定する情報（以下、ＵＲＬ特定情報という）を記憶している。また、ＵＲＬ特定情報記憶手段４２は、制御手段６０から書き込み信号を受信すると、書き込み信号の内容に従って、ＵＲＬ特定情報を記憶する。さらに、ＵＲＬ特定情報記憶手段４２は、制御手段６０から読み出し信号を受信すると、読み出し信号の内容に従って、ＵＲＬ特定情報を制御手段６０に読み出し結果信号として送出する。【００３９】  図３（ａ）〜図３（ｅ）は、入力手段２０及び表示手段３０を用いて、ブックマーク情報記憶手段４１に複数記憶されているブックマーク情報のうち、１つのブックマーク情報を巡回ブックマークとして設定する手順を示す画面例である。【００４０】  図３（ａ）は、ブックマーク情報が属するフォルダの一覧が表示手段３０に表示された画面例である。この例では、「ニュース」、「旅行」及び「巡回フォルダ」の３つのフォルダが表示されている。ここで、「ニュース」というフォルダに属するブックマーク情報を巡回ブックマークに設定する場合、入力手段２０を用いて「ニュース」にフォーカスを当てて、操作ボタン群２１のうち、「選択」に対応付けられた操作ボタン（以下、選択ボタンという）を押下する。【００４１】  図３（ｂ）は、「ニュース」というフォルダに属するブックマーク情報の一覧が表示手段３０に表示された画面例である。この例では、「○○新聞」、「××新聞」及び「お天気△△」の３つのブックマーク情報が表示されている。ここで、「お天気△△」というブックマーク情報を巡回ブックマークに設定する場合、入力手段２０を用いて「お天気△△」にフォーカスを当てて、操作ボタン群２１のうち、「機能」に対応付けられた操作ボタン（以下、機能ボタンという）を押下する。【００４２】  図３（ｃ）は、「お天気△△」というブックマーク情報に関する設定項目が、表示手段３０に表示された画面例である。この例では、設定項目として、タイトル編集、削除、巡回登録がある。タイトル編集は、ブックマーク情報のタイトル名を編集することができる。削除は、選択されているブックマーク情報を削除することができる。巡回登録は、選択されているブックマーク情報を巡回ブックマークとして設定することができる。ここで、入力手段２０を用いて「巡回登録」にフォーカスを当てて、選択ボタンを押下すると、「お天気△△」というブックマーク情報が巡回ブックマークとして設定される。【００４３】  図３（ｄ）は、「お天気△△」というブックマーク情報が、巡回登録された後に、図３（ａ）に示すフォルダ一覧で「巡回フォルダ」を選択したときに表示手段３０に表示される画面例である。巡回フォルダには、巡回登録されたブックマーク情報のタイトル名が表示される。ここでは、図３（ｃ）��巡回登録された「お天気△△」が表示されている。【００４４】  なお、この例では、巡回フォルダを選択すると巡回登録されたブックマーク情報のタイトルが表示されるものとしたが、巡回フォルダを設けず、図３（ｅ）のように、巡回登録されたブックマーク情報であることをブックマーク情報の一覧画面で確認できるようにしてもよい。なお、ここでは、巡回ブックマークの解除を行う設定方法について詳述しないが、巡回登録と対応して、巡回解除を行う設定が設けてあることは言うまでもない。【００４５】  図４（ａ）及び図４（ｂ）は、ブックマーク情報記憶手段４１に記憶されているブックマーク情報の内容を示す情報テーブルである。情報テーブルには、ブックマークのタイトル名、ＵＲＬ、巡回ブックマークであるか否かを示す巡回フラグ及び巡回フラグが設定された順番を示す設定番号をもつブックマーク情報が記憶されている。ここでは、ブックマーク情報Ｂ１１、Ｂ１２、Ｂ１３、Ｂ１４及びＢ１５の５つが記憶されているものとする。ここで、図４（ａ）及び図４（ｂ）を用いて、巡回ブックマークの設定前と設定後とにおける情報テーブルの内容の違いについて説明する。【００４６】  図４（ａ）は、ブックマーク情報記憶手段４１に巡回ブックマークが設定されていないときの情報テーブルを示す図である。【００４７】  巡回フラグは、全てのブックマーク情報が巡回ブックマークとして設定されていないため、初期状態のＯＦＦが設定されている。【００４８】  設定番号は、全てのブックマーク情報が巡回ブックマークとして設定されていないため、初期状態の０が設定されている。【００４９】  図４（ｂ）は、まずブックマーク情報Ｂ１３が、巡回ブックマークとして設定され、続いて、ブックマーク情報Ｂ１４が、巡回ブックマークとして設定された場合の情報テーブルを示す図である。【００５０】  巡回フラグは、巡回ブックマークとして設定されたブックマーク情報Ｂ１３及びＢ１４がＯＮに設定されている。巡回ブックマークとして設定されていないブックマーク情報Ｂ１１、Ｂ１２及びＢ１５は、初期状態のＯＦＦが設定されている。【００５１】  設定番号は、巡回ブックマークとして設定された順番に、ブックマーク情報Ｂ１３が１、ブックマーク情報Ｂ１４が２に設定されている。また、巡回ブックマークとして設定されていないブックマーク情報Ｂ１１、Ｂ１２及びＢ１５は、初期状態の０が設定されている。【００５２】  図５は、ＵＲＬ特定情報記憶手段４２に記憶されているＵＲＬ特定情報を示す図である。ＵＲＬ特定情報は、この例では、ブックマーク情報記憶手段４１に記憶されている設定番号を示し、１つのＵＲＬを特定する情報である。ＵＲＬ特定情報の初期状態は、１に設定されているものとする。【００５３】  図６は、携帯電話端末１０において、図４（ｂ）に示す情報テーブルが設定されているときに、巡回ブックマークのＵＲＬが示すコンテンツ情報を順次閲覧する場合の動作を示すフローチャートである。【００５４】  図６において、制御手段６０は、Ｗｅｂブラウザ（図示せず）が起動されることで処理を開始する。Ｗｅｂブラウザが起動されると、制御手段６０は、ＵＲＬ特定情報を１に初期化するための書き込み信号をＵＲＬ特定情���記憶手段４２に送出する。そして、ＵＲＬ特定情報記憶手段４２は、制御手段６０から受信した書き込み信号に従って、ＵＲＬ特定情報を１に初期化する（ステップＳ１）。【００５５】  次に、制御手段６０は、入力手段２０からの入力信号を受信したか否かを判定する（ステップＳ２）。制御手段６０が、入力手段２０からの入力信号を受信した場合（ステップＳ２、Ｙｅｓ）、予め設定された制御条件（この例では、操作ボタン群２１のうち、ブックマーク巡回専用の操作ボタンが押下されたときの入力信号とする）と一致するか否かを判定する（ステップＳ３）。一方、制御手段６０が、入力手段２０からの入力信号を受信していない場合（ステップＳ２、Ｎｏ）、Ｗｅｂブラウザが終了しているか否かを判定する（ステップＳ４）。【００５６】  Ｗｅｂブラウザが既に終了していれば（ステップＳ４、Ｙｅｓ）、処理を終了する。一方、Ｗｅｂブラウザが起動中であれば（ステップＳ４、Ｎｏ）、再度、制御手段６０は、入力手段２０からの入力信号を受信したか否かを判定する（ステップＳ２）。【００５７】  制御手段６０は、入力手段２０からの入力信号と、ブックマーク巡回専用の操作ボタン（以下、巡回専用ボタンという）が押下されたときの入力信号とが一致する場合（ステップＳ３、Ｙｅｓ）、ＵＲＬ特定情報記憶手段４２に読み出し信号を送出する。ＵＲＬ特定情報記憶手段４２は、制御手段６０から読み出し信号を受信すると、ＵＲＬ特定情報である１を制御手段６０に読み出し結果信号として送出する（ステップＳ５）。一方、入力手段２０からの入力信号と、巡回専用ボタンが押下されたときの入力信号とが一致しない場合（ステップＳ３、Ｎｏ）、Ｗｅｂブラウザが終了しているか否かを判定する（ステップＳ４）。【００５８】  制御手段６０は、ＵＲＬ特定情報記憶手段４２から受信したＵＲＬ特定情報に基づき、ブックマーク情報記憶手段４１に対して読み出し信号を送出する。ブックマーク情報記憶手段４１は、記憶されている設定番号と、制御手段６０から受信したＵＲＬ特定情報とが一致するブックマーク情報のＵＲＬ（この例では、ｈｔｔｐ：／／ｃｃｃ．ｃｏ．ｊｐ／ｉｎｄｅｘ．ｈｔｍｌ）を制御手段６０に読み出し結果信号として送出する（ステップＳ６）。【００５９】  ここで、制御手段６０から受信したＵＲＬ特定情報と一致する設定番号が、ブックマーク情報記憶手段４１に存在しない場合、ブックマーク情報記憶手段４１は、制御手段６０に読み出しできない旨の読み出し結果信号を送出する。制御手段６０は、読み出しできない旨の読み出し信号を受信すると、ＵＲＬ特定情報記憶手段４２のＵＲＬ特定情報を１に初期化するための書き込み信号をＵＲＬ特定情報記憶手段４２に送出し、ＵＲＬ特定情報を１に初期化する。そして、制御手段６０は、初期化したＵＲＬ特定情報に基づき、ブックマーク情報記憶手段４１に対して読み出し信号を送出し、ＵＲＬ特定情報と一致する設定番号を持ったブックマーク情報のＵＲＬを読み出す。【００６０】  制御手段６０は、ブックマーク情報記憶手段４１からＵＲＬを読み出すと、そのＵＲＬに基づいた通信要求信号を無線通信手段５０に送出する。無線通信手段５０は、制御手段６０から受信したＵＲＬに対して���無線通信により接続し、そのＵＲＬが示す格納場所にあるコンテンツ情報を取得する。そして、無線通信手段５０は、取得したコンテンツ情報を制御手段６０に通信応答信号として送出する（ステップＳ７）。【００６１】  制御手段６０は、無線通信手段５０から受信したコンテンツ情報を表示手段３０に表示信号として送出する。表示手段３０は、制御手段６０から受信した表示信号の内容に従って、コンテンツ情報を表示する（ステップＳ８）。【００６２】  表示手段３０に表示信号を送出した後、制御手段６０は、ステップＳ５で受信したＵＲＬ特定情報に１を加算した２を書き込み信号として、ＵＲＬ特定情報記憶手段４２に送出する。そして、ＵＲＬ特定情報記憶手段４２は、制御手段６０から受信した書き込み信号に従って、ＵＲＬ特定情報を２に更新する（ステップＳ９）。ＵＲＬ特定情報の更新を行うことで、制御手段６０は、入力手段２０からの入力信号と予め設定された制御条件とが一致する度に、ブックマーク情報記憶手段４１に記憶されている複数のＵＲＬから異なる１つのＵＲＬを読み出すことができる。【００６３】  以降、制御手段６０は、Ｗｅｂブラウザが終了するまで、ステップＳ２〜ステップＳ９を繰り返す。再度、入力信号と制御条件が一致すると（ステップＳ３、Ｙｅｓ）、制御手段６０は、ＵＲＬ特定情報記憶手段４２に記憶されているＵＲＬ特定情報（２）を読み出し（ステップＳ５）、ブックマーク情報記憶手段４１から、ＵＲＬ特定情報と一致する設定番号を持ったブックマーク情報のＵＲＬ（この例では、ｈｔｔｐ：／／ｄｄｄ．ｃｏ．ｊｐ／ｉｎｄｅｘ．ｈｔｍｌ）を読み出す（ステップＳ６）。そして、制御手段６０は、そのＵＲＬに基づいた通信要求信号を無線通信手段５０に送出して、コンテンツ情報を取得し（ステップＳ７）、表示手段３０に表示させる（ステップＳ８）。【００６４】  図７（ａ）〜図７（ｃ）は、図４（ｂ）に示す情報テーブルが設定されているときに、操作ボタン群２１のうち、巡回専用ボタンを押下した場合の画面遷移を示す図である。【００６５】  図７（ａ）は、Ｗｅｂブラウザで任意のコンテンツ情報を表示手段３０に表示している画面例を示す図である。この画面において、巡回専用ボタンを押下すると、巡回ブックマークとして１番目に設定されているブックマーク情報Ｂ１３が持つＵＲＬへ接続し、図７（ｂ）に示すように、取得したコンテンツ情報を表示する。ここで、また、巡回専用ボタンを押下すると、巡回ブックマークとして２番目に設定されているブックマーク情報Ｂ１４が持つＵＲＬへ接続し、図７（ｃ）に示すように、取得したコンテンツ情報を表示する。ここで、さらに、巡回専用ボタンを押下すると、巡回ブックマークとして設定されているブックマーク情報は２つであるため、再度ブックマーク情報Ｂ１３が持つＵＲＬへ接続し、図７（ｂ）に示すように、取得したコンテンツ情報を表示する
なお、本実施の形態１では、巡回ブックマークのコンテンツ情報を順次閲覧するための制御条件を、巡回専用ボタンの押下動作として説明したが、巡回専用ボタンを設けずに、操作ボタン群２１の他の操作ボタン（例えば、数字ボタン、文字ボタン、方向ボタン等）の押下動作、マイクロホン２２からの音声の入力動作（例えば、「つぎ」、「まえ」、「うしろ」等）、又は携帯電話端末１０の各種状態を示すセンサ（例えば、傾きセンサ等）の検出動作等から使用者が任意に設定できるようにしてもよい。【００６６】  また、本実施の形態１では、Ｗｅｂブラウザ起動後に、ＵＲＬ特定情報を初期化するため、巡回ブックマークとして１番目に設定されたブックマーク情報が持つＵＲＬに、常に最初は接続するように説明したが、初期化時に設定するＵＲＬ特定情報を使用者が設定できるようにし、任意の巡回ブックマークのＵＲＬから接続を行うようにしてもよい。【００６７】  また、Ｗｅｂブラウザ起動後のＵＲＬ特定情報を初期化せず、前回Ｗｅｂブラウザ終了時に記憶していたＵＲＬ特定情報が示す巡回ブックマークのＵＲＬから引き続いて、接続を行うようにしてもよい。【００６８】  また、本実施の形態１では、入力信号が予め設定された制御条件と一致した場合に接続するＵＲＬの特定順序を、巡回ブックマークとして設定された順番であるとして説明したが、ブックマーク情報記憶手段４１に閲覧回数情報をさらに記憶して、閲覧回数の多い順番に基づいて、接続するＵＲＬを特定するようにしてもよい。【００６９】  また、本実施の形態１では、入力信号が制御条件と一致した場合に接続するＵＲＬの特定順序が、巡回ブックマークとして設定された順番（昇順）であるとして説明したが、さらに、他の制御条件を設けておき、入力信号が他の制御条件と一致した場合には、巡回ブックマークとして設定された順番（降順）で、接続するＵＲＬの特定を行うようにしてもよい。【００７０】  以上のように本発明の実施の形態１の携帯電話端末１０によれば、制御手段６０が入力手段２０から入力される入力信号と予め設定されている制御条件とが一致するか判定し、一致すると、巡回ブックマークとして登録されている複数のアドレスから、異なる１つのアドレスを特定することで、コンテンツ情報を順次閲覧するときの操作を簡略化することができる。【００７１】  （実施の形態２）
本発明の実施の形態２は、巡回フォルダに巡回ブックマークを分類するグループ（以下、巡回グループという）を備えた携帯電話端末を例として説明する。【００７２】  本発明の実施の形態２における携帯電話端末１０の構成は、上記実施の形態１と同様であるため、同じ参照符号を用いて説明する。【００７３】  図８（ａ）〜図８（ｃ）は、入力手段２０及び表示手段３０を用いて、巡回グループを作成する手順を示す画面例である。【００７４】  図８（ａ）は、ブックマーク情報が属するフォルダの一覧が表示手段３０に表示された画面例である。この例では、「ニュース」、「旅行」、「テレビ」及び「巡回フォルダ」の４つのフォルダが表示されている。ここで、「巡回フォルダ」に巡回グループを作成するには、入力手段２０を用いて「巡回フォルダ」にフォーカスを当てて、機能ボタンを押下する。【００７５】  図８（ｂ）は、「巡回フォルダ」に関する設定項目が表示手段３０に表示される画面例である。この例では、設定項目として、グループ作成と削除がある。グループ作成は、任意の名称を付与した巡回グループを作成することができる。削除は、既に作成されている巡回グループを削除することができる。ここで、入力手段２０を用いて、グループ作成にフォーカスを当て、選択ボタンを押下して、「関東」という名称の巡回グループを作成する。【００７６】  図８（ｃ）は、「関東」という巡回グループを作成後、入力手段２０を用いて図８（ａ）に示す「巡回フォルダ」にフォーカスを当て、選択ボタンを押下したときに、表示手段３０に表示される画面例である。巡回グループとして、図８（ｂ）で作成した「関東」という名称を持った巡回グループが表示手段３０に表示されている。【００７７】  図８（ｄ）〜図８（ｆ）は、入力手段２０及び表示手段３０を用いて、ブックマーク情報記憶手段４１に複数記憶されているブックマーク情報のうち、１つのブックマーク情報を図８（ａ）〜図８（ｃ）で作成した巡回グループに巡回ブックマークとして設定する手順を示す画面例である。【００７８】  図８（ｄ）は、図８（ａ）に示す「ニュース」というフォルダに属するブックマーク情報の一覧が表示手段３０に表示された画面例である。この例では、「ニュース（関東）」、「ニュース（関西）」及び「ニュース（海外）」の３つのブックマーク情報が表示されている。ここで、「ニュース（関東）」というブックマーク情報を「関東」という巡回グループに巡回ブックマークに設定する場合、入力手段２０を用いて「ニュース（関東）」にフォーカスを当て、機能ボタンを押下する。【００７９】  図８（ｅ）は、「ニュース（関東）」というブックマーク情報に関する設定項目が表示手段３０に表示された画面例である。この例では、設定項目として、タイトル編集、削除、巡回登録がある。タイトル編集は、ブックマーク情報のタイトル名を編集することができる。削除は、選択されているブックマーク情報を削除することができる。巡回登録は、選択されているブックマーク情報を任意の巡回グループに巡回ブックマークとして設定することができる。ここで、入力手段２０を用いて巡回登録にフォーカスを当て、選択ボタンを押下する。【００８０】  図８（ｆ）は、巡回登録が選択された後に、分類する対象である巡回グループを選択する画面例である。この例では、「関東」という巡回グループが予め作成されているため、「関東」にフォーカスを当て、選択ボタンを押下する。これにより、「関東」という巡回グループに、「ニュース（関東）」を巡回ブックマークとして設定することができる。【００８１】  なお、ここでは、巡回ブックマークの解除を行う設定方法について詳述しないが、巡回登録と対応して、巡回解除を行う設定が設けてあることは言うまでもない。【００８２】  図９（ａ）及び図９（ｂ）は、ブックマーク情報記憶手段４１に記憶されているブックマーク情報の内容を示す情報テーブルである。情報テーブルには、ブックマークのタイトル名、ＵＲＬ、巡回ブックマークを分類する巡回グループのグループ番号、巡回ブックマークであるか否かを示す巡回フラグ及び巡回フラグが設定された順番を示す設定番号をもつブックマーク情報が記憶されている。ここでは、ブックマーク情報Ｂ２１、Ｂ２２、Ｂ２３、Ｂ２４、Ｂ２５及びＢ２６の６つが記憶されているものとする。【００８３】  図９（ａ）及び図９（ｂ）を用いて、巡回グループへの巡回ブックマーク設定前後における情報テーブルの内容の違いについて説明する。【００８４】  図９（ａ）は、ブックマーク情報記憶手段４１に巡回ブックマークが設定されていないときの情報テーブルを示す図である。【００８５】  巡回グループ番号は、ブックマーク情報記憶手段４１に記憶されている各ブックマーク情報が、どの巡回グループに巡回ブックマークとして設定されているかを示す番号である。巡回グループ番号は、全てのブックマーク情報が、巡回グループに設定されていないため、初期状態の０が設定されている。【００８６】  巡回フラグは、全てのブックマーク情報が巡回ブックマークとして設定されていないため、初期状態のＯＦＦが設定されている。【００８７】  設定番号は、全てのブックマーク情報が巡回ブックマークとして設定されていないため、初期状態の０が設定されている。【００８８】  図９（ｂ）は、ブックマーク情報Ｂ２１、Ｂ２４、Ｂ２６を「関東」という巡回グループに設定し、続けて、ブックマーク情報Ｂ２２、Ｂ２５を「関西」という巡回グループに設定した場合の情報テーブルを示す図である。【００８９】  巡回グループ番号は、他の情報テーブル（図示せず）によって巡回グループ名と対応付けられているものとし、この例では、「関東」という巡回グループ名と巡回グループ番号１とが対応付けられ、「関西」という巡回グループ名と巡回グループ番号２とが対応付けられているものとする。【００９０】  巡回フラグは、巡回ブックマークとして設定されているブックマーク情報Ｂ２１、Ｂ２２、Ｂ２４、Ｂ２５及びＢ２６にＯＮが設定されている。巡回ブックマークとして設定されていないブックマーク情報Ｂ２３は、初期状態のＯＦＦが設定されている。【００９１】  設定番号は、巡回グループ毎に巡回ブックマークとして設定された順番で設定される番号である。「関東」という巡回グループに関しては、ブックマーク情報Ｂ２１に１、ブックマーク情報Ｂ２４に２、ブックマーク情報Ｂ２６に３が設定されている。また、「関西」という巡回グループに��しては、ブックマーク情報Ｂ２２に１、ブックマーク情報Ｂ２５に２が設定されている。巡回ブックマークとして設定されていないブックマーク情報Ｂ２３は、初期状態の０が設定されている。【００９２】  図１０は、ＵＲＬ特定情報記憶手段４２に記憶されているＵＲＬ特定情報１及びＵＲＬ特定情報２を示す図である。【００９３】  ＵＲＬ特定情報１は、ブックマーク情報記憶手段４１に記憶されている巡回グループ番号と対応している情報である。また、ＵＲＬ特定情報２は、ブックマーク情報記憶手段４１に記憶されている設定番号と対応している情報である。【００９４】  ＵＲＬ特定情報１及びＵＲＬ特定情報２を用いて、ブックマーク情報記憶手段４１に複数記憶されているブックマーク情報から、１つのブックマーク情報のＵＲＬを特定する。ＵＲＬ特定情報１及びＵＲＬ特定情報２の初期状態は、ともに１が設定されている。【００９５】  次に、本実施の形態２の携帯電話端末１０における動作について、図６に示すフローチャートを用いて説明する。【００９６】  制御手段６０は、Ｗｅｂブラウザが起動されることで処理を開始する。Ｗｅｂブラウザが起動されると、制御手段６０は、ＵＲＬ特定情報１及びＵＲＬ特定情報２を１に初期化するための書き込み信号をＵＲＬ特定情報記憶手段４２に送出する。そして、ＵＲＬ特定情報記憶手段４２は、制御手段６０から受信した書き込み信号に従って、ＵＲＬ特定情報１及びＵＲＬ特定情報２を１に初期化する（ステップＳ１）。【００９７】  次に、制御手段６０は、入力手段２０からの入力信号を受信したか否かを判定する（ステップＳ２）。制御手段６０が、入力手段２０からの入力信号を受信した場合（ステップＳ２、Ｙｅｓ）、予め設定された制御条件（この例では、巡回専用ボタンが押下されたときの入力信号とする）と一致するか否かを判定する（ステップＳ３）。一方、制御手段６０が、入力手段２０からの入力信号を受信していない場合（ステップＳ２、Ｎｏ）、Ｗｅｂブラウザが終了しているか否かを判定する（ステップＳ４）。【００９８】  ウェブブラウザが既に終了していれば（ステップＳ４、Ｙｅｓ）、処理を終了する。一方、Ｗｅｂブラウザが起動中であれば（ステップＳ４、Ｎｏ）、再度、制御手段６０は、入力手段２０からの入力信号を受信したか否かを判定する（ステップＳ２）。【００９９】  制御手段６０は、入力手段２０からの入力信号と、巡回専用ボタンが押下されたときの入力信号とが一致する場合（ステップＳ３、Ｙｅｓ）、ＵＲＬ特定情報記憶手段４２に読み出し信号を送出する。ＵＲＬ特定情報記憶手段４２は、制御手段６０から読み出し信号を受信すると、ＵＲＬ特定情報１とＵＲＬ特定情報２を制御手段６０に読み出し結果信号として送出する（ステップＳ５）。一方、入力手段２０からの入力信号と、巡回専用ボタンが押下されたときの入力信号とが一致しない場合（ステップＳ３、Ｎｏ）、Ｗｅｂブラウザが終了しているか否かを判定する（ステップＳ４）。【０１００】  制御手段６０は、ＵＲＬ特定情報記憶手段４２から受信したＵＲＬ特定情報１及びＵＲＬ特定情報２に基づき、ブックマーク情報記憶手段４１に対して読み出し信号を送出する。ブックマーク情報記憶手段４１は、制御��段６０から受信したＵＲＬ特定情報１と巡回グループ番号が一致し、且つＵＲＬ特定情報２と設定番号が一致するブックマーク情報のＵＲＬ（この例では、ｈｔｔｐ：／／ａａａ．ｃｏ．ｊｐ／ｉｎｄｅｘ．ｈｔｍｌ）を制御手段６０に読み出し結果信号として送出する（ステップＳ６）。【０１０１】  ここで、制御手段６０から受信したＵＲＬ特定情報１と一致する巡回グループ番号が、ブックマーク情報記憶手段４１に存在しない場合、ブックマーク情報記憶手段４１は、制御手段６０に読み出しできない旨の読み出し結果信号を送出する。制御手段６０は、読み出しできない旨の読み出し結果信号を受信すると、ＵＲＬ特定情報記憶手段４２のＵＲＬ特定情報１を１、ＵＲＬ特定情報２を１に初期化するための書き込み信号をＵＲＬ特定情報記憶手段４２に送出し、ＵＲＬ特定情報を初期化する。【０１０２】  また、制御手段６０から受信したＵＲＬ特定情報１と一致する巡回グループ番号が存在するが、ＵＲＬ特定情報２と一致する設定番号が、ブックマーク情報記憶手段４１に存在しない場合、ブックマーク情報記憶手段４１は、制御手段６０に読み出しできない旨の読み出し結果信号を送出する。制御手段６０は、読み出しできない旨の読み出し結果信号を受信すると、ＵＲＬ特定情報記憶手段４２のＵＲＬ特定情報１に１を加算した値と、ＵＲＬ特定情報２を１に初期化するための書き込み信号をＵＲＬ特定情報記憶手段４２に送出し、ＵＲＬ特定情報を更新する。【０１０３】  制御手段６０は、ブックマーク情報記憶手段４１からＵＲＬを読み出すと、そのＵＲＬに基づいて通信要求信号を無線通信手段５０に送出する。無線通信手段５０は、制御手段６０から受信したＵＲＬに無線通信によって接続し、そのＵＲＬが示す場所にあるコンテンツ情報を取得する。そして、無線通信手段５０は、取得したコンテンツ情報を制御手段６０に通信応答信号として送出する（ステップＳ７）。【０１０４】  制御手段６０は、無線通信手段５０から受信したコンテンツ情報を表示手段３０に表示信号として送出する。表示手段３０は、制御手段６０から受信した表示信号の内容に従って、コンテンツ情報を表示する（ステップＳ８）。【０１０５】  表示手段３０に表示信号を送出した後、制御手段６０は、ステップＳ５で受信したＵＲＬ特定情報２に１を加算した２を書き込み信号として、ＵＲＬ特定情報記憶手段４２に送出する。そして、ＵＲＬ特定情報記憶手段４２は、制御手段６０から受信した書き込み信号に従って、ＵＲＬ特定情報２を２に更新する（ステップＳ９）。ＵＲＬ特定情報の更新を行うことで、制御手段６０は、入力手段２０からの入力信号と予め設定された制御条件とが一致する度に、ブックマーク情報記憶手段４１に記憶されている複数のＵＲＬから異なる１つのＵＲＬを読み出すことができる。【０１０６】  以降、制御手段６０は、Ｗｅｂブラウザが終了するまで、ステップＳ２〜ステップＳ９を繰り返す。【０１０７】  再度、入力信号と制御条件が一致すると（ステップＳ３、Ｙｅｓ）、制御手段６０は、ＵＲＬ特定情報記憶手段４２に記憶されているＵＲＬ特定情報１（１）と、ＵＲＬ特定情報２（２）とを読み出し（ステップＳ５）、ブックマーク情報記憶手段４１から、ＵＲＬ特定情報と一致する設定番号を持ったブックマーク情報のＵＲＬ（この例では、ｈｔｔｐ：／／ｄｄｄ．ｃｏ．ｊｐ／ｉｎｄｅｘ．ｈｔｍｌ）を読み出す（ステップＳ６）。また、
制御手段６０は、そのＵＲＬに基づいた通信要求信号を無線通信手段５０に送出して、コンテンツ情報を取得し（ステップＳ７）、表示手段３０に表示させる（ステップＳ８）。さらに、制御手段６０は、ステップＳ５で受信したＵＲＬ特定情報２に１を加算した３を書き込み信号として、ＵＲＬ特定情報記憶手段４２に送出する。そして、ＵＲＬ特定情報記憶手段４２は、制御手段６０から受信した書き込み信号に従って、ＵＲＬ特定情報２を３に更新する（ステップＳ９）。【０１０８】  ここで、また、入力信号と制御条件が一致すると（ステップＳ３、Ｙｅｓ）、制御手段６０は、ＵＲＬ特定情報記憶手段４２に記憶されているＵＲＬ特定情報１（１）と、ＵＲＬ特定情報２（３）を読み出し（ステップＳ５）、ブックマーク情報記憶手段４１から、ＵＲＬ特定情報と一致する設定番号を持ったブックマーク情報のＵＲＬ（この例では、ｈｔｔｐ：／／ｆｆｆ．ｃｏ．ｊｐ／ｉｎｄｅｘ．ｈｔｍｌ）を読み出す（ステップＳ６）。また、制御手段６０は、そのＵＲＬに基づいた通信要求信号を無線通信手段５０に送出して、コンテンツ情報を取得し（ステップＳ７）、表示手段３０に表示させる（ステップＳ８）。さらに、制御手段６０は、ステップＳ５で受信したＵＲＬ特定情報２に１を加算した４を書き込み信号として、ＵＲＬ特定情報記憶手段４２に送出する。そして、ＵＲＬ特定情報記憶手段４２は、制御手段６０から受信した書き込み信号に従って、ＵＲＬ特定情報２を４に更新する（ステップＳ９）。【０１０９】  ここで、さらに、入力信号と制御条件が一致すると（ステップＳ３、Ｙｅｓ）、制御手段６０は、ＵＲＬ特定情報記憶手段４２に記憶されているＵＲＬ特定情報１（１）と、ＵＲＬ特定情報２（４）を読み出し（ステップＳ５）、ブックマーク情報記憶手段４１から、ＵＲＬ特定情報と一致する設定番号を持ったブックマーク情報のＵＲＬを読み出そうとする。しかしながら、ブックマーク情報記憶手段４１は、巡回グループ番号が１で、且つ設定番号が４を持つ巡回ブックマークは存在しないため、読み出しできない旨の読み出し結果信号を制御手段６０に送出する。制御手段６０は、読み出しできない旨の読み出し結果信号を受信すると、ＵＲＬ特定情報記憶手段４２のＵＲＬ特定情報１に１を加算した値（２）と、ＵＲＬ特定情報２を１に初期化するための書き込み信号をＵＲＬ特定情報記憶手段４２に送出し、ＵＲＬ特定情報１及びＵＲＬ特定情報２を更新する。【０１１０】  なお、本実施の形態２では、巡回ブックマークのコンテンツ情報を順次閲覧するための制御条件を、巡回専用ボタンの押下動作として説明したが、巡回専用ボタンを設けずに、操作ボタン群２１の他の操作ボタン（例えば、数字ボタン、文字ボタン等）の押下動作、マイクロホン２２からの音声の入力動作（例えば、「つぎ」、「まえ」、「うしろ」等）、又は携帯電話端末１０の状態を示すセンサ（例えば、傾きセンサ等）の検出動作等から使用者が任意に設定できるようにしてもよい。【０１１１】  また、本実施の形態２では、Ｗｅｂブラウザ起動後に巡回ブックマークを閲覧する場合、ＵＲＬ特定情報１及びＵＲＬ特定情報２を初期化するため、１番目に作成された巡回グループに最初に設定された巡回���ックマークに、常に最初は接続するように説明したが、初期化時に設定するＵＲＬ特定情報１及びＵＲＬ特定情報２を使用者が設定できるようにし、任意の巡回ブックマークのＵＲＬから接続を行うようにしてもよい。【０１１２】  また、Ｗｅｂブラウザ起動後のＵＲＬ特定情報を初期化せず、前回Ｗｅｂブラウザ終了時に記憶していたＵＲＬ特定情報１及びＵＲＬ特定情報２が示す巡回ブックマークのＵＲＬから引き続いて、接続を行うようにしてもよい。【０１１３】  また、任意の巡回ブックマークのＵＲＬから接続を開始する場合、同じ巡回グループに属する巡回ブックマークのコンテンツ情報を全て閲覧した後に、次の巡回グループの最初に設定されている巡回ブックマークのコンテンツ情報を閲覧するようにしてもよい。【０１１４】  また、本実施の形態２では、入力信号が制御条件と一致した場合に接続するＵＲＬの特定順序が、巡回ブックマークとして設定された順番であるとして説明したが、ブックマーク情報記憶手段４１に閲覧回数をさらに記憶して、閲覧回数の多い順番に基づいて、接続するＵＲＬを特定するようにしてもよい。【０１１５】  また、本実施の形態２では、巡回グループ番号１に属する全ての巡回ブックマークを閲覧した後に入力信号が制御条件と一致した場合、巡回グループ番号２の最初に設定された巡回ブックマークのコンテンツ情報を閲覧すると説明したが、使用者が予め設定した任意の巡回グループだけで、巡回ブックマークのコンテンツ情報を順次閲覧するようにしてもよい。【０１１６】  また、本実施の形態２では、入力信号が制御条件と一致した場合に接続するＵＲＬの特定順序が、巡回ブックマークとして設定された順番（昇順）であるとして説明したが、さらに、他の制御条件を設けておき、入力信号が他の制御条件と一致した場合には、巡回ブックマークとして設定された順番（降順）で、接続するＵＲＬの特定を行うようにしてもよい。【０１１７】  以上のように本発明の実施の形態２の携帯電話端末１０によれば、制御手段６０が入力手段２０から入力される入力信号と予め設定されている制御条件とが一致するか判定し、一致すると、巡回グループに属する巡回ブックマークとして登録されている複数のアドレスから、異なる１つのアドレスを特定することで、コンテンツ情報を順次閲覧するときの操作を簡略化することができる。
（実施の形態３）
本発明の実施の形態３は、携帯電話端末に予め設定されている制御条件が、入力動作の条件と表示動作の条件との組み合わせからなる制御条件である場合を例として説明する。【０１１８】  本発明の実施の形態３における携帯電話端末１０の構成は、上記実施の形態１と同様であるため、図２に記載のある参照符号を用いて説明する。【０１１９】  また、本発明の実施の形態３におけるブックマーク情報記憶手段４１に予め記憶されている情報テーブルは図４（ｂ）と、ＵＲＬ特定情報記憶手段４２に予め記憶されているＵＲＬ特定情報と図５とそれぞれ同様であるものとして説明する。【０１２０】  本実施の形態３における制御手段６０は、Ｗｅｂブラウザの動作モードとして、巡回ブックマークのコンテンツ情報のみ閲覧するモード（以下、巡回モード）を備える。この例では、Ｗｅｂブラウザで任意のコンテンツ情報を閲覧中に、機能ボタンを押下し、巡回モードに切換える旨の設定項目を選択することにより、巡回モードに切り替えることができるものとする。また、Ｗｅｂブラウザの動作モードが、巡回モードであるか否かは、制御手段６０が巡回モードフラグ（図示せず）により管理し、巡回モードに切り替えられると、巡回モードフラグをＯＮに設定する。【０１２１】  巡回モードフラグがＯＮに設定されると、制御手段６０は、ＵＲＬ特定情報記憶手段４２のＵＲＬ特定情報（初期値１）に従って、ブックマーク情報記憶手段４１からブックマーク情報Ｂ１３のＵＲＬを読み出す。そして、無線通信手段５０を介して、読み出したＵＲＬへ接続し、取得したコンテンツ情報を表示手段３０に表示する。また、ＵＲＬ特定情報記憶手段４２のＵＲＬ特定情報に１を加算して更新する。【０１２２】  図１１（ａ）〜図１１（ｃ）は、巡回モードにおいて、巡回ブックマークのコンテンツ情報を順次閲覧する場合の手順を示す画面例である。【０１２３】  図１１（ａ）は、巡回モードフラグがＯＮに設定されたときに、表示手段３０に表示されるブックマーク情報Ｂ１３のコンテンツ情報を示す画面例である。【０１２４】  図１１（ｂ１）は、巡回モードフラグがＯＦＦに設定されているときに、ブックマーク情報Ｂ１３のコンテンツ情報を表示し、操作ボタン群２１のうちの下方向ボタン（図示せず）を押下して、コンテンツ情報の最後部を表示手段３０に表示したときの画面例である。【０１２５】  巡回モードがＯＦＦに設定されている場合、コンテンツ情報の最後部まで表示しているため、下カーソルアイコンＣ１は、下方向ボタン押下しても何も処理が行われない旨の表示となっている。【０１２６】  図１１（ｂ２）は、巡回モードフラグがＯＮに設定されているときに、ブックマーク情報Ｂ１３のコンテンツ情報を表示し、下方向ボタンを押下して、コンテンツ情報の最後部を表示手段３０に表示したときの画面例である。【０１２７】  巡回モードがＯＮに設定されている場合、コンテンツ情報の最後部まで表示していても、図１１（ｂ１）とは異なり、下カーソルアイコンＣ１は、下方向ボタン押下することにより処理が行われる旨の表示となっている。【０１２８】  図１１（ｃ）は、図１１（ｂ２）において、下方向ボタンを押下後の画面例である。【０１２９】  巡回モードがＯＮに設定されている場合に、コンテンツ情報の最後部を表示しているという表示動作の条件と、下方向操作ボタンを押下するという入力動作の条件との組み合わせからなる制御条件が満たされると、制御手段６０は、ＵＲＬ特定情報記憶手段４２からＵＲＬ特定情報（２）を読み出し、そのＵＲＬ特定情報に基づいて、ブックマーク情報記憶手段４１から、ブックマーク情報Ｂ１４のＵＲＬを読み出す。そして、無線通信手段５０を介して取得した、ブックマーク情報Ｂ１４のコンテンツ情報を表示手段３０に表示している。また、ＵＲＬ特定情報記憶手段４２のＵＲＬ特定情報に１を加算して更新する。ＵＲＬ特定情報の更新を行うことで、制御手段６０は、コンテンツ情報の最後部を表示しているという表示動作の条件と、下方向操作ボタンを押下するという入力動作の条件との組み合わせからなる制御条件が満たされる度に、ブックマーク情報記憶手段４１に記憶されている複数のＵＲＬから異なる１つのＵＲＬを読み出すことができる。【０１３０】  以上のように本発明の実施の形態３の携帯電話端末１０によれば、制御手段６０が入力動作の条件と、表示動作の条件との組み合わせからなる制御条件と一致するか否かの判定を行い、一致するとの判定がなされると、巡回ブックマークとして登録されている複数のアドレスから、異なる１つのアドレスに接続することで、コンテンツ情報を順次閲覧するときの操作を簡略化することができる。また、表示内容に基づいて、上下方向操作ボタンを押下したときの動作を変化させることで、コンテンツ情報内の閲覧操作と、巡回ブックマークのコンテンツ情報の取得操作とを意識することなく行うことができる。【０１３１】  本発明を詳細にまた特定の実施態様を参照して説明したが、本発明の精神と範囲を逸脱することなく様々な変更や修正を加えることができることは当業者にとって明らかである。【０１３２】  本出願は、２００５年６月２８日出願の日本特許出願（特願２００５−１８７６７７）に基づくものであり、その内容はここに参照として取り込まれる。
【産業上の利用可能性】
【０１３３】  以上のように、本発明にかかる情報端末装置及び情報端末制御方法は、同一の入力動作に複数のアドレスを対応付けることができると共に、コンテンツ情報を順次閲覧する場合の操作を簡略化することができるという効果を有し、小型化に伴い画面表示能力や入力手段の限られた携帯電話端末等として有用である。
【図１】
2007001027.tif 000002
【図２】
2007001027.tif 000003
【図３】
2007001027.tif 000004
【図４】
2007001027.tif 000005
【図５】
2007001027.tif 000006
【図６】
2007001027.tif 000007
【図７】
2007001027.tif 000008
【図８】
2007001027.tif 000009
【図９】
2007001027.tif 000010
【図１０】
2007001027.tif 000011
【図１１】
2007001027.tif 000012
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
各種情報の入力を受け付ける入力手段と、
ネットワークと無線通信する無線通信手段と、
前記ネットワークにあるコンテンツ情報の格納場所を示す、複数のアドレスを記憶している記憶手段と、
前記コンテンツ情報を表示する表示手段と、
前記入力手段を介して入力された前記各種情報が、予め設定されている制御条件と一致するか否かを判定し、一致するとの判定がなされると、前記複数のアドレスから、異なる１つのアドレスを読み出し、前記無線通信手段を介して前記アドレスが示すコンテンツ情報を取得して、前記表示手段に表示させる制御手段とを有することを特徴とする情報端末装置。
【請求項２】
前記記憶手段は、前記一致するとの判定がなされたときに読み出される対象であるか否かを示す識別情報を前記複数のアドレスと対応付けて記憶しており、
前記制御手段は、前記判定がなされると、前記読み出される対象であることを示す前記識別情報と対応付けられたアドレスから、異なる１つのアドレスを読み出すことを特徴とする請求項１記載の情報端末装置。
【請求項３】
前記記憶手段は、前記識別情報が前記読み出される対象であると設定された順番を記憶しており、前記制御手段は、前記判定がなされると、前記順番に基づいて、前記異なる１つのアドレスを特定することを特徴とする請求項２記載の情報端末装置。
【請求項４】
前記記憶手段は、前記複数のアドレスが示すコンテンツ情報の閲覧回数を記憶しており、前記制御手段は、前記判定がなされると、前記閲覧回数に基づいて、前記異なる１つのアドレスを特定することを特徴とする請求項２記載の情報端末装置。
【請求項５】
前記制御手段は、前記読み出される対象であると最後に設定された前記識別情報に対応付けられた第１のアドレスを読み出したのち、前記判定がなされると、前記読み出される対象であると最初に設定された前記識別情報に対応付けられた第２のアドレスを読み出すことを特徴とする請求項３記載の情報端末装置。
【請求項６】
請求項１乃至５のいずれかに記載の情報端末装置は、携帯電話端末であることを特徴とする情報端末装置。
【請求項７】
各種情報を受け付ける入力ステップと、
ネットワークと無線通信する無線通信ステップと、
前記ネットワークにあるコンテンツ情報の格納場所を示す、複数のアドレスを記憶する記憶ステップと、
前記入力ステップで入力された前記各種情報が、予め設定されている制御条件と一致するか否かを判定する判定ステップと、
前記判定ステップで一致するとの判定がなされると、前記複数のアドレスから、異なる１つのアドレスを読み出すアドレス読み出しステップと、
前記無線通信ステップを介して前記アドレスが示すコンテンツ情報を取得するコンテンツ情報取得ステップと、
前記コンテンツ情報を表示する表示ステップとを有することを特徴とする情報端末制御方法。
【手続補正２】
【補正対象書類名】明細書
【補正対象項目名】全文
【補正方法】変更
【補正の内容】
【発明の詳細な説明】
【技術分野】
【０００１】
本発明は、インターネット等のネットワークから取得したコンテンツ情報を表示する情報端末装置及び情報端末制御方法に関するものである。
【背景技術】
【０００２】
一般に、パーソナルコンピュータや携帯電話端末等のＷｅｂブラウザは、閲覧頻度の高いコンテンツ情報のアドレスを複数登録しておくことができ、任意のフォルダにそれらのアドレスを分類して整理できる仕組みを持ったブックマーク機能が搭載されていることがよく知られている。
【０００３】
また、従来のインターネット端末装置は、複数の選択スイッチに、アドレスをそれぞれ対応付けて記憶させておき、任意の選択スイッチが操作された時に、その選択スイッチに対応付けられたアドレスに基づいてネットワークに接続し、コンテンツ情報の取得を行っている（例えば、特許文献１参照）。
【特許文献１】特開２００３−３０８２６５号公報
【発明の開示】
【発明が解決しようとする課題】
【０００４】
しかしながら、従来のパーソナルコンピュータや携帯電話端末等のＷｅｂブラウザにおいて、フォルダ内に登録されているアドレスに続けて接続し、コンテンツ情報を順次閲覧する場合には、使用者が、所望のアドレスを含むフォルダを選択し、さらに、そのフォルダ内から所望のアドレスを選択する操作を繰り返す必要があった。そのため、コンテンツ情報を順次閲覧する場合に、使用者が行うべき操作が煩雑であるという課題があった。
【０００５】
また、従来のインターネット端末装置における１つの選択スイッチには、１つのアドレスしか対応付けることができなかった。そのため、記憶しておきたいアドレスを増やす場合、選択スイッチの数までも増やさなければならないという課題があった。
【０００６】
本発明は、従来の問題を解決するためになされたもので、同一の入力動作に複数のアドレスを対応付けることができると共に、コンテンツ情報を順次閲覧する場合の操作を簡略化することのできる情報端末装置及び情報端末制御方法を提供することを目的とする。
【課題を解決するための手段】
【０００７】
本発明の情報端末装置は、各種情報の入力を受け付ける入力手段と、ネットワークと無線通信する無線通信手段と、前記ネットワークにあるコンテンツ情報の格納場所を示す、複数のアドレスを記憶している記憶手段と、前記コンテンツ情報を表示する表示手段と、前記入力手段を介して入力された前記各種情報が、予め設定されている制御条件と一致するか否かを判定し、一致するとの判定がなされると、前記複数のアドレスから、異なる１つのアドレスを読み出し、前記無線通信手段を介して前記アドレスが示すコンテンツ情報を取得して、前記表示手段に表示させる制御手段とを備えた構成を有する。
【０００８】
この構成により、同一の入力動作に複数のアドレスを対応付けることができると共に、コンテンツ情報を順次閲覧する場合の操作を簡略化することができる。
【０００９】
また、本発明の情報端末装置は、前記記憶手段が、前記一致するとの判定がなされたときに読み出される対象であるか否かを示す識別情報を前記複数のアドレスと対応付けて記憶しており、前記制御手段が、前記判定がなされると、前記読み出される対象であることを示す前記識別情報と対応付けられたアドレスから、異なる１つのアドレスを読み出す構成を有する。
【００１０】
この構成により、記憶手段に記憶されている全てのアドレスが示すコンテンツ情報を常に順次閲覧する必要がなく、予め設定されているアドレスが示すコンテンツ情報のみ順次閲覧するため、使用者の利便性を向上させることができる。
【００１１】
また、本発明の情報端末装置は、前記記憶手段が、前記識別情報が前記読み出される対象であると設定された順番を記憶しており、前記制御手段が、前記判定がなされると、前記順番に基づいて、前記異なる１つのアドレスを特定する構成を有する。
【００１２】
この構成により、複数のコンテンツ情報を予め決まった順番で閲覧する場合における使用者の利便性を向上させることができる。
【００１３】
また、本発明の情報端末装置は、前記記憶手段が、前記複数のアドレスが示すコンテンツ情報の閲覧回数を記憶しており、前記制御手段が、前記判定がなされると、前記閲覧回数に基づいて、前記異なる１つのアドレスを特定する構成を有する。
【００１４】
この構成により、使用者の嗜好に応じたコンテンツ情報を順次閲覧させることができる。また、本発明の情報端末装置は、前記制御手段が、前記読み出される対象であると最後に設定された前記識別情報に対応付けられた第１のアドレスを読み出したのち、前記判定がなされると、前記読み出される対象であると最初に設定された前記識別情報に対応付けられた第２のアドレスを読み出す構成を有する。
【００１５】
この構成により、前記読み出される対象のアドレスが示すコンテンツ情報を巡回して順次閲覧することができる。
【００１６】
また、本発明の情報端末装置は、携帯電話端末である構成を有する。
【００１７】
この構成により、入力手段の限られた携帯電話端末において、同一の入力動作に複数のアドレスを対応付けることができる共に、コンテンツ情報を順次閲覧する場合の操作を簡略化することができる。
【００１８】
また、本発明の情報端末制御方法は、各種情報を受け付ける入力ステップと、ネットワークと無線通信する無線通信ステップと、前記ネットワークにあるコンテンツ情報の格納場所を示す、複数のアドレスを記憶する記憶ステップと、前記入力ステップで入力された前記各種情報が、予め設定されている制御条件と一致するか否かを判定する判定ステップと、前記判定ステップで一致するとの判定がなされると、前記複数のアドレスから、異なる１つのアドレスを読み出すアドレス読み出しステップと、前記無線通信ステップを介して前記アドレスが示すコンテンツ情報を取得するコンテンツ情報取得ステップと、前記コンテンツ情報を表示する表示ステップとを備える。
【００１９】
この方法により、同一の入力動作に複数のアドレスを対応付けることができると共に、コンテンツ情報を順次閲覧する場合の操作を簡略化することができる。
【発明の効果】
【００２０】
本発明は、同一の入力動作に複数のアドレスを対応付けることができると共に、コンテンツ情報を順次閲覧する場合の操作を簡略化することのできる情報端末装置及び情報端末制御方法を提供することができるものである。
【発明を実施するための最良の形態】
【００２１】
以下、本発明の実施の形態について、図面を用いて説明する。
【００２２】
（実施の形態１）
本発明の実施の形態１は、情報端末装置が携帯電話端末である場合を例にして説明する。
【００２３】
図１は、本発明の実施の形態１における携帯電話端末１０の概略構成を示すブロック図である。
【００２４】
携帯電話端末１０は、図示されているように、入力手段２０、表示手段３０、記憶手段４０、無線通信手段５０及び制御手段６０から構成されている。
【００２５】
入力手段２０は、外部からの入力動作によって得られる各種情報を入力信号として制御手段６０に送出する。
【００２６】
制御手段６０は、入力手段２０から送出された入力信号を受信すると、入力された情報が予め設定された制御条件と一致するか否かの判定を行う。また、制御手段６０は、表示手段３０に表示信号を送出し、表示手段３０に表示信号の内容を表示させることができる。また、制御手段６０は、記憶手段４０に書き込み信号又は読み出し信号を送出することで、記憶手段４０に任意の情報を記憶させることや、記憶手段４０に記憶されている任意の情報を読み出すことができる。また、制御手段６０は、無線通信手段５０に通信要求信号を送出することで、コンテンツ情報を取得することができる。
【００２７】
表示手段３０は、制御手段６０から表示信号を受信し、表示信号の内容に従って表示を行う。
【００２８】
記憶手段４０は、携帯電話端末１０の基本機能を実行するためのプログラムや、そのプログラムによって作成された情報等を記憶する。また、記憶手段４０は、制御手段６０から書き込み信号を受信すると、書き込み信号の内容に従って、情報を記憶する。さらに、制御手段６０から読み出し信号を受信すると、読み出し信号の内容に従った情報を制御手段６０に読み出し結果信号として送出する。
【００２９】
無線通信手段５０は、制御手段６０から通信要求信号を受信すると、通信要求信号の内容に従って無線通信によりネットワークに接続し、取得したコンテンツ情報を制御手段６０に通信応答信号として送出する。
【００３０】
図２は、本発明の実施の形態１における携帯電話端末１０の詳細構成を示すブロック図である。図２において、図１と同じ部分には同じ参照符号を付してある。また、図１と同様の構成については説明を省略する。
【００３１】
入力手段２０は、操作ボタン群２１とマイクロホン２２とから構成されている。
【００３２】
操作ボタン群２１は、複数の操作ボタンから構成されており、外部からの押下動作によって得られる情報を入力信号として制御手段６０に送出する。
【００３３】
マイクロホン２２は、外部からの音声入力動作によって得られる情報を入力信号として制御手段６０に送出する。
【００３４】
記憶手段４０は、ブックマーク情報記憶手段４１とＵＲＬ特定情報記憶手段４２とから構成されている。
【００３５】
ブックマーク情報記憶手段４１は、ブックマークのタイトル名、ネットワークにあるコンテンツ情報のアドレスを示すＵＲＬ（Ｕｎｉｆｏｒｍ  Ｒｅｓｏｕｒｃｅ  Ｌｏｃａｔｏｒ）、入力信号と制御条件とが一致したときに接続するブックマーク（以下、巡回ブックマークという）であるか否かを示す巡回フラグ及び巡回フラグが設定された順番を示す設定番号からなるブックマーク情報を複数記憶することができる。また、ブックマーク情報記憶手段４１は、制御手段６０から書き込み信号を受信すると、書き込み信号の内容に従って、情報を記憶する。さらに、ブックマーク情報記憶手段４１は、制御手段６０から読み出し信号を受信すると、読み出し信号の内容に従った情報を制御手段６０に読み出し結果信号として送出する。
【００３６】
ＵＲＬ特定情報記憶手段４２は、ブックマーク情報記憶手段４１に複数記憶されているブックマーク情報のうち、１つのブックマーク情報のＵＲＬを特定する情報（以下、ＵＲＬ特定情報という）を記憶している。また、ＵＲＬ特定情報記憶手段４２は、制御手段６０から書き込み信号を受信すると、書き込み信号の内容に従って、ＵＲＬ特定情報を記憶する。さらに、ＵＲＬ特定情報記憶手段４２は、制御手段６０から読み出し信号を受信すると、読み出し信号の内容に従って、ＵＲＬ特定情報を制御手段６０に読み出し結果信号として送出する。
【００３７】
図３（ａ）〜図３（ｅ）は、入力手段２０及び表示手段３０を用いて、ブックマーク情報記憶手段４１に複数記憶されているブックマーク情報のうち、１つのブックマーク情報を巡回ブックマークとして設定する手順を示す画面例である。
【００３８】
図３（ａ）は、ブックマーク情報が属するフォルダの一覧が表示手段３０に表示された画面例である。この例では、「ニュース」、「旅行」及び「巡回フォルダ」の３つのフォルダが表示されている。ここで、「ニュース」というフォルダに属するブックマーク情報を巡回ブックマークに設定する場合、入力手段２０を用いて「ニュース」にフォーカスを当てて、操作ボタン群２１のうち、「選択」に対応付けられた操作ボタン（以下、選択ボタンという）を押下する。
【００３９】
図３（ｂ）は、「ニュース」というフォルダに属するブックマーク情報の一覧が表示手段３０に表示された画面例である。この例では、「○○新聞」、「××新聞」及び「お天気△△」の３つのブックマーク情報が表示されている。ここで、「お天気△△」というブックマーク情報を巡回ブックマークに設定する場合、入力手段２０を用いて「お天気△△」にフォーカスを当てて、操作ボタン群２１のうち、「機能」に対応付けられた操作ボタン（以下、機能ボタンという）を押下する。
【００４０】
図３（ｃ）は、「お天気△△」というブックマーク情報に関する設定項目が、表示手段３０に表示された画面例である。この例では、設定項目として、タイトル編集、削除、巡回登録がある。タイトル編集は、ブックマーク情報のタイトル名を編集することができる。削除は、選択されているブックマーク情報を削除することができる。巡回登録は、選択されているブックマーク情報を巡回ブックマークとして設定することができる。ここで、入力手段２０を用いて「巡回登録」にフォーカスを当てて、選択ボタンを押下すると、「お天気△△」というブックマーク情報が巡回ブックマークとして設定される。
【００４１】
図３（ｄ）は、「お天気△△」というブックマーク情報が、巡回登録された後に、図３（ａ）に示すフォルダ一覧で「巡回フォルダ」を選択したときに表示手段３０に表示される画面例である。巡回フォルダには、巡回登録されたブックマーク情報のタイトル名が表示される。ここでは、図３（ｃ）で巡回登録された「お天気△△」が表示されている。
【００４２】
なお、この例では、巡回フォルダを選択すると巡回登録されたブックマーク情報のタイトルが表示されるものとしたが、巡回フォルダを設けず、図３（ｅ）のように、巡回登録されたブックマーク情報であることをブックマーク情報の一覧画面で確認できるようにしてもよい。なお、ここでは、巡回ブックマークの解除を行う設定方法について詳述しないが、巡回登録と対応して、巡回解除を行う設定が設けてあることは言うまでもない。
【００４３】
図４（ａ）及び図４（ｂ）は、ブックマーク情報記憶手段４１に記憶されているブックマーク情報の内容を示す情報テーブルである。情報テーブルには、ブックマークのタイトル名、ＵＲＬ、巡回ブックマークであるか否かを示す巡回フラグ及び巡回フラグが設定された順番を示す設定番号をもつブックマーク情報が記憶されている。ここでは、ブックマーク情報Ｂ１１、Ｂ１２、Ｂ１３、Ｂ１４及びＢ１５の５つが記憶されているものとする。ここで、図４（ａ）及び図４（ｂ）を用いて、巡回ブックマークの設定前と設定後とにおける情報テーブルの内容の違いについて説明する。
【００４４】
図４（ａ）は、ブックマーク情報記憶手段４１に巡回ブックマークが設定されていないときの情報テーブルを示す図である。
【００４５】
巡回フラグは、全てのブックマーク情報が巡回ブックマークとして設定されていないため、初期状態のＯＦＦが設定されている。
【００４６】
設定番号は、全てのブックマーク情報が巡回ブックマークとして設定されていないため、初期状態の０が設定されている。
【００４７】
図４（ｂ）は、まずブックマーク情報Ｂ１３が、巡回ブックマークとして設定され、続いて、ブックマーク情報Ｂ１４が、巡回ブックマークとして設定された場合の情報テーブルを示す図である。
【００４８】
巡回フラグは、巡回ブックマークとして設定されたブックマーク情報Ｂ１３及びＢ１４がＯＮに設定されている。巡回ブックマークとして設定されていないブックマーク情報Ｂ１１、Ｂ１２及びＢ１５は、初期状態のＯＦＦが設定されている。
【００４９】
設定番号は、巡回ブックマークとして設定された順番に、ブックマーク情報Ｂ１３が１、ブックマーク情報Ｂ１４が２に設定されている。また、巡回ブックマークとして設定されていないブックマーク情報Ｂ１１、Ｂ１２及びＢ１５は、初期状態の０が設定されている。
【００５０】
図５は、ＵＲＬ特定情報記憶手段４２に記憶されているＵＲＬ特定情報を示す図である。ＵＲＬ特定情報は、この例では、ブックマーク情報記憶手段４１に記憶されている設定番号を示し、１つのＵＲＬを特定する情報である。ＵＲＬ特定情報の初期状態は、１に設定されているものとする。
【００５１】
図６は、携帯電話端末１０において、図４（ｂ）に示す情報テーブルが設定されているときに、巡回ブックマークのＵＲＬが示すコンテンツ情報を順次閲覧する場合の動作を示すフローチャートである。
【００５２】
図６において、制御手段６０は、Ｗｅｂブラウザ（図示せず）が起動されることで処理を開始する。Ｗｅｂブラウザが起動されると、制御手段６０は、ＵＲＬ特定情報を１に初期化するための書き込み信号をＵＲＬ特定情報記憶手段４２に送出する。そして、ＵＲＬ特定情報記憶手段４２は、制御手段６０から受信した書き込み信号に従って、ＵＲＬ特定情報を１に初期化する（ステップＳ１）。
【００５３】
次に、制御手段６０は、入力手段２０からの入力信号を受信したか否かを判定する（ステップＳ２）。制御手段６０が、入力手段２０からの入力信号を受信した場合（ステップＳ２、Ｙｅｓ）、予め設定された制御条件（この例では、操作ボタン群２１のうち、ブックマーク巡回専用の操作ボタンが押下されたときの入力信号とする）と一致するか否かを判定する（ステップＳ３）。一方、制御手段６０が、入力手段２０からの入力信号を受信していない場合（ステップＳ２、Ｎｏ）、Ｗｅｂブラウザが終了しているか否かを判定する（ステップＳ４）。
【００５４】
Ｗｅｂブラウザが既に終了していれば（ステップＳ４、Ｙｅｓ）、処理を終了する。一方、Ｗｅｂブラウザが起動中であれば（ステップＳ４、Ｎｏ）、再度、制御手段６０は、入力手段２０からの入力信号を受信したか否かを判定する（ステップＳ２）。
【００５５】
制御手段６０は、入力手段２０からの入力信号と、ブックマーク巡回専用の操作ボタン（以下、巡回専用ボタンという）が押下されたときの入力信号とが一致する場合（ステップＳ３、Ｙｅｓ）、ＵＲＬ特定情報記憶手段４２に読み出し信号を送出する。ＵＲＬ特定情報記憶手段４２は、制御手段６０から読み出し信号を受信すると、ＵＲＬ特定情報である１を制御手段６０に読み出し結果信号として送出する（ステップＳ５）。一方、入力手段２０からの入力信号と、巡回専用ボタンが押下されたときの入力信号とが一致しない場合（ステップＳ３、Ｎｏ）、Ｗｅｂブラウザが終了しているか否かを判定する（ステップＳ４）。
【００５６】
制御手段６０は、ＵＲＬ特定情報記憶手段４２から受信したＵＲＬ特定情報に基づき、ブックマーク情報記憶手段４１に対して読み出し信号を送出する。ブックマーク情報記憶手段４１は、記憶されている設定番号と、制御手段６０から受信したＵＲＬ特定情報とが一致するブックマーク情報のＵＲＬ（この例では、ｈｔｔｐ：／／ｃｃｃ．ｃｏ．ｊｐ／ｉｎｄｅｘ．ｈｔｍｌ）を制御手段６０に読み出し結果信号として送出する（ステップＳ６）。
【００５７】
ここで、制御手段６０から受信したＵＲＬ特定情報と一致する設定番号が、ブックマーク情報記憶手段４１に存在しない場合、ブックマーク情報記憶手段４１は、制御手段６０に読み出しできない旨の読み出し結果信号を送出する。制御手段６０は、読み出しできない旨の読み出し信号を受信すると、ＵＲＬ特定情報記憶手段４２のＵＲＬ特定情報を１に初期化するための書き込み信号をＵＲＬ特定情報記憶手段４２に送出し、ＵＲＬ特定情報を１に初期化する。そして、制御手段６０は、初期化したＵＲＬ特定情報に基づき、ブックマーク情報記憶手段４１に対して読み出し信号を送出し、ＵＲＬ特定情報と一致する設定番号を持ったブックマーク情報のＵＲＬを読み出す。
【００５８】
制御手段６０は、ブックマーク情報記憶手段４１からＵＲＬを読み出すと、そのＵＲＬに基づいた通信要求信号を無線通信手段５０に送出する。無線通信手段５０は、制御手段６０から受信したＵＲＬに対して、無線通信により接続し、そのＵＲＬが示す格納場所にあるコンテンツ情報を取得する。そして、無線通信手段５０は、取得したコンテンツ情報を制御手段６０に通信応答信号として送出する（ステップＳ７）。
【００５９】
制御手段６０は、無線通信手段５０から受信したコンテンツ情報を表示手段３０に表示信号として送出する。表示手段３０は、制御手段６０から受信した表示信号の内容に従って、コンテンツ情報を表示する（ステップＳ８）。
【００６０】
表示手段３０に表示信号を送出した後、制御手段６０は、ステップＳ５で受信したＵＲＬ特定情報に１を加算した２を書き込み信号として、ＵＲＬ特定情報記憶手段４２に送出する。そして、ＵＲＬ特定情報記憶手段４２は、制御手段６０から受信した書き込み信号に従って、ＵＲＬ特定情報を２に更新する（ステップＳ９）。ＵＲＬ特定情報の更新を行うことで、制御手段６０は、入力手段２０からの入力信号と予め設定された制御条件とが一致する度に、ブックマーク情報記憶手段４１に記憶されている複数のＵＲＬから異なる１つのＵＲＬを読み出すことができる。
【００６１】
以降、制御手段６０は、Ｗｅｂブラウザが終了するまで、ステップＳ２〜ステップＳ９を繰り返す。再度、入力信号と制御条件が一致すると（ステップＳ３、Ｙｅｓ）、制御手段６０は、ＵＲＬ特定情報記憶手段４２に記憶されているＵＲＬ特定情報（２）を読み出し（ステップＳ５）、ブックマーク情報記憶手段４１から、ＵＲＬ特定情報と一致する設定番号を持ったブックマーク情報のＵＲＬ（この例では、ｈｔｔｐ：／／ｄｄｄ．ｃｏ．ｊｐ／ｉｎｄｅｘ．ｈｔｍｌ）を読み出す（ステップＳ６）。そして、制御手段６０は、そのＵＲＬに基づいた通信要求信号を無線通信手段５０に送出して、コンテンツ情報を取得し（ステップＳ７）、表示手段３０に表示させる（ステップＳ８）。
【００６２】
図７（ａ）〜図７（ｃ）は、図４（ｂ）に示す情報テーブルが設定されているときに、操作ボタン群２１のうち、巡回専用ボタンを押下した場合の画面遷移を示す図である。
【００６３】
図７（ａ）は、Ｗｅｂブラウザで任意のコンテンツ情報を表示手段３０に表示している画面例を示す図である。この画面において、巡回専用ボタンを押下すると、巡回ブックマークとして１番目に設定されているブックマーク情報Ｂ１３が持つＵＲＬへ接続し、図７（ｂ）に示すように、取得したコンテンツ情報を表示する。ここで、また、巡回専用ボタンを押下すると、巡回ブックマークとして２番目に設定されているブックマーク情報Ｂ１４が持つＵＲＬへ接続し、図７（ｃ）に示すように、取得したコンテンツ情報を表示する。ここで、さらに、巡回専用ボタンを押下すると、巡回ブックマークとして設定されているブックマーク情報は２つであるため、再度ブックマーク情報Ｂ１３が持つＵＲＬへ接続し、図７（ｂ）に示すように、取得したコンテンツ情報を表示する
なお、本実施の形態１では、巡回ブックマークのコンテンツ情報を順次閲覧するための制御条件を、巡回専用ボタンの押下動作として説明したが、巡回専用ボタンを設けずに、操作ボタン群２１の他の操作ボタン（例えば、数字ボタン、文字ボタン、方向ボタン等）の押下動作、マイクロホン２２からの音声の入力動作（例えば、「つぎ」、「まえ」、「うしろ」等）、又は携帯電話端末１０の各種状態を示すセンサ（例えば、傾きセンサ等）の検出動作等から使用者が任意に設定できるようにしてもよい。
【００６４】
また、本実施の形態１では、Ｗｅｂブラウザ起動後に、ＵＲＬ特定情報を初期化するため、巡回ブックマークとして１番目に設定されたブックマーク情報が持つＵＲＬに、常に最初は接続するように説明したが、初期化時に設定するＵＲＬ特定情報を使用者が設定できるようにし、任意の巡回ブックマークのＵＲＬから接続を行うようにしてもよい。
【００６５】
また、Ｗｅｂブラウザ起動後のＵＲＬ特定情報を初期化せず、前回Ｗｅｂブラウザ終了時に記憶していたＵＲＬ特定情報が示す巡回ブックマークのＵＲＬから引き続いて、接続を行うようにしてもよい。
【００６６】
また、本実施の形態１では、入力信号が予め設定された制御条件と一致した場合に接続するＵＲＬの特定順序を、巡回ブックマークとして設定された順番であるとして説明したが、ブックマーク情報記憶手段４１に閲覧回数情報をさらに記憶して、閲覧回数の多い順番に基づいて、接続するＵＲＬを特定するようにしてもよい。
【００６７】
また、本実施の形態１では、入力信号が制御条件と一致した場合に接続するＵＲＬの特定順序が、巡回ブックマークとして設定された順番（昇順）であるとして説明したが、さらに、他の制御条件を設けておき、入力信号が他の制御条件と一致した場合には、巡回ブックマークとして設定された順番（降順）で、接続するＵＲＬの特定を行うようにしてもよい。
【００６８】
以上のように本発明の実施の形態１の携帯電話端末１０によれば、制御手段６０が入力手段２０から入力される入力信号と予め設定されている制御条件とが一致するか判定し、一致すると、巡回ブックマークとして登録されている複数のアドレスから、異なる１つのアドレスを特定することで、コンテンツ情報を順次閲覧するときの操作を簡略化することができる。
【００６９】
（実施の形態２）
本発明の実施の形態２は、巡回フォルダに巡回ブックマークを分類するグループ（以下、巡回グループという）を備えた携帯電話端末を例として説明する。
【００７０】
本発明の実施の形態２における携帯電話端末１０の構成は、上記実施の形態１と同様であるため、同じ参照符号を用いて説明する。
【００７１】
図８（ａ）〜図８（ｃ）は、入力手段２０及び表示手段３０を用いて、巡回グループを作成する手順を示す画面例である。
【００７２】
図８（ａ）は、ブックマーク情報が属するフォルダの一覧が表示手段３０に表示された画面例である。この例では、「ニュース」、「旅行」、「テレビ」及び「巡回フォルダ」の４つのフォルダが表示されている。ここで、「巡回フォルダ」に巡回グループを作成するには、入力手段２０を用いて「巡回フォルダ」にフォーカスを当てて、機能ボタンを押下する。
【００７３】
図８（ｂ）は、「巡回フォルダ」に関する設定項目が表示手段３０に表示される画面例である。この例では、設定項目として、グループ作成と削除がある。グループ作成は、任意の名称を付与した巡回グループを作成することができる。削除は、既に作成されている巡回グループを削除することができる。ここで、入力手段２０を用いて、グループ作成にフォーカスを当て、選択ボタンを押下して、「関東」という名称の巡回グループを作成する。
【００７４】
図８（ｃ）は、「関東」という巡回グループを作成後、入力手段２０を用いて図８（ａ）に示す「巡回フォルダ」にフォーカスを当て、選択ボタンを押下したときに、表示手段３０に表示される画面例である。巡回グループとして、図８（ｂ）で作成した「関東」という名称を持った巡回グループが表示手段３０に表示されている。
【００７５】
図８（ｄ）〜図８（ｆ）は、入力手段２０及び表示手段３０を用いて、ブックマーク情報記憶手段４１に複数記憶されているブックマーク情報のうち、１つのブックマーク情報を図８（ａ）〜図８（ｃ）で作成した巡回グループに巡回ブックマークとして設定する手順を示す画面例である。
【００７６】
図８（ｄ）は、図８（ａ）に示す「ニュース」というフォルダに属するブックマーク情報の一覧が表示手段３０に表示された画面例である。この例では、「ニュース（関東）」、「ニュース（関西）」及び「ニュース（海外）」の３つのブックマーク情報が表示されている。ここで、「ニュース（関東）」というブックマーク情報を「関東」という巡回グループに巡回ブックマークに設定する場合、入力手段２０を用いて「ニュース（関東）」にフォーカスを当て、機能ボタンを押下する。
【００７７】
図８（ｅ）は、「ニュース（関東）」というブックマーク情報に関する設定項目が表示手段３０に表示された画面例である。この例では、設定項目として、タイトル編集、削除、巡回登録がある。タイトル編集は、ブックマーク情報のタイトル名を編集することができる。削除は、選択されているブックマーク情報を削除することができる。巡回登録は、選択されているブックマーク情報を任意の巡回グループに巡回ブックマークとして設定することができる。ここで、入力手段２０を用いて巡回登録にフォーカスを当て、選択ボタンを押下する。
【００７８】
図８（ｆ）は、巡回登録が選択された後に、分類する対象である巡回グループを選択する画面例である。この例では、「関東」という巡回グループが予め作成されているため、「関東」にフォーカスを当て、選択ボタンを押下する。これにより、「関東」という巡回グループに、「ニュース（関東）」を巡回ブックマークとして設定することができる。
【００７９】
なお、ここでは、巡回ブックマークの解除を行う設定方法について詳述しないが、巡回登録と対応して、巡回解除を行う設定が設けてあることは言うまでもない。
【００８０】
図９（ａ）及び図９（ｂ）は、ブックマーク情報記憶手段４１に記憶されているブックマーク情報の内容を示す情報テーブルである。情報テーブルには、ブックマークのタイトル名、ＵＲＬ、巡回ブックマークを分類する巡回グループのグループ番号、巡回ブックマークであるか否かを示す巡回フラグ及び巡回フラグが設定された順番を示す設定番号をもつブックマーク情報が記憶されている。ここでは、ブックマーク情報Ｂ２１、Ｂ２２、Ｂ２３、Ｂ２４、Ｂ２５及びＢ２６の６つが記憶されているものとする。
【００８１】
図９（ａ）及び図９（ｂ）を用いて、巡回グループへの巡回ブックマーク設定前後における情報テーブルの内容の違いについて説明する。
【００８２】
図９（ａ）は、ブックマーク情報記憶手段４１に巡回ブックマークが設定されていないときの情報テーブルを示す図である。
【００８３】
巡回グループ番号は、ブックマーク情報記憶手段４１に記憶されている各ブックマーク情報が、どの巡回グループに巡回ブックマークとして設定されているかを示す番号である。巡回グループ番号は、全てのブックマーク情報が、巡回グループに設定されていないため、初期状態の０が設定されている。
【００８４】
巡回フラグは、全てのブックマーク情報が巡回ブックマークとして設定されていないため、初期状態のＯＦＦが設定されている。
【００８５】
設定番号は、全てのブックマーク情報が巡回ブックマークとして設定されていないため、初期状態の０が設定されている。
【００８６】
図９（ｂ）は、ブックマーク情報Ｂ２１、Ｂ２４、Ｂ２６を「関東」という巡回グループに設定し、続けて、ブックマーク情報Ｂ２２、Ｂ２５を「関西」という巡回グループに設定した場合の情報テーブルを示す図である。
【００８７】
巡回グループ番号は、他の情報テーブル（図示せず）によって巡回グループ名と対応付けられているものとし、この例では、「関東」という巡回グループ名と巡回グループ番号１とが対応付けられ、「関西」という巡回グループ名と巡回グループ番号２とが対応付けられているものとする。
【００８８】
巡回フラグは、巡回ブックマークとして設定されているブックマーク情報Ｂ２１、Ｂ２２、Ｂ２４、Ｂ２５及びＢ２６にＯＮが設定されている。巡回ブックマークとして設定されていないブックマーク情報Ｂ２３は、初期状態のＯＦＦが設定されている。
【００８９】
設定番号は、巡回グループ毎に巡回ブックマークとして設定された順番で設定される番号である。「関東」という巡回グループに関しては、ブックマーク情報Ｂ２１に１、ブックマーク情報Ｂ２４に２、ブックマーク情報Ｂ２６に３が設定されている。また、「関西」という巡回グループに関しては、ブックマーク情報Ｂ２２に１、ブックマーク情報Ｂ２５に２が設定されている。巡回ブックマークとして設定されていないブックマーク情報Ｂ２３は、初期状態の０が設定されている。
【００９０】
図１０は、ＵＲＬ特定情報記憶手段４２に記憶されているＵＲＬ特定情報１及びＵＲＬ特定情報２を示す図である。
【００９１】
ＵＲＬ特定情報１は、ブックマーク情報記憶手段４１に記憶されている巡回グループ番号と対応している情報である。また、ＵＲＬ特定情報２は、ブックマーク情報記憶手段４１に記憶されている設定番号と対応している情報である。
【００９２】
ＵＲＬ特定情報１及びＵＲＬ特定情報２を用いて、ブックマーク情報記憶手段４１に複数記憶されているブックマーク情報から、１つのブックマーク情報のＵＲＬを特定する。ＵＲＬ特定情報１及びＵＲＬ特定情報２の初期状態は、ともに１が設定されている。
【００９３】
次に、本実施の形態２の携帯電話端末１０における動作について、図６に示すフローチャートを用いて説明する。
【００９４】
制御手段６０は、Ｗｅｂブラウザが起動されることで処理を開始する。Ｗｅｂブラウザが起動されると、制御手段６０は、ＵＲＬ特定情報１及びＵＲＬ特定情報２を１に初期化するための書き込み信号をＵＲＬ特定情報記憶手段４２に送出する。そして、ＵＲＬ特定情報記憶手段４２は、制御手段６０から受信した書き込み信号に従って、ＵＲＬ特定情報１及びＵＲＬ特定情報２を１に初期化する（ステップＳ１）。
【００９５】
次に、制御手段６０は、入力手段２０からの入力信号を受信したか否かを判定する（ステップＳ２）。制御手段６０が、入力手段２０からの入力信号を受信した場合（ステップＳ２、Ｙｅｓ）、予め設定された制御条件（この例では、巡回専用ボタンが押下されたときの入力信号とする）と一致するか否かを判定する（ステップＳ３）。一方、制御手段６０が、入力手段２０からの入力信号を受信していない場合（ステップＳ２、Ｎｏ）、Ｗｅｂブラウザが終了しているか否かを判定する（ステップＳ４）。
【００９６】
ウェブブラウザが既に終了していれば（ステップＳ４、Ｙｅｓ）、処理を終了する。一方、Ｗｅｂブラウザが起動中であれば（ステップＳ４、Ｎｏ）、再度、制御手段６０は、入力手段２０からの入力信号を受信したか否かを判定する（ステップＳ２）。
【００９７】
制御手段６０は、入力手段２０からの入力信号と、巡回専用ボタンが押下されたときの入力信号とが一致する場合（ステップＳ３、Ｙｅｓ）、ＵＲＬ特定情報記憶手段４２に読み出し信号を送出する。ＵＲＬ特定情報記憶手段４２は、制御手段６０から読み出し信号を受信すると、ＵＲＬ特定情報１とＵＲＬ特定情報２を制御手段６０に読み出し結果信号として送出する（ステップＳ５）。一方、入力手段２０からの入力信号と、巡回専用ボタンが押下されたときの入力信号とが一致しない場合（ステップＳ３、Ｎｏ）、Ｗｅｂブラウザが終了しているか否かを判定する（ステップＳ４）。
【００９８】
制御手段６０は、ＵＲＬ特定情報記憶手段４２から受信したＵＲＬ特定情報１及びＵＲＬ特定情報２に基づき、ブックマーク情報記憶手段４１に対して読み出し信号を送出する。ブックマーク情報記憶手段４１は、制御手段６０から受信したＵＲＬ特定情報１と巡回グループ番号が一致し、且つＵＲＬ特定情報２と設定番号が一致するブックマーク情報のＵＲＬ（この例では、ｈｔｔｐ：／／ａａａ．ｃｏ．ｊｐ／ｉｎｄｅｘ．ｈｔｍｌ）を制御手段６０に読み出し結果信号として送出する（ステップＳ６）。
【００９９】
ここで、制御手段６０から受信したＵＲＬ特定情報１と一致する巡回グループ番号が、ブックマーク情報記憶手段４１に存在しない場合、ブックマーク情報記憶手段４１は、制御手段６０に読み出しできない旨の読み出し結果信号を送出する。制御手段６０は、読み出しできない旨の読み出し結果信号を受信すると、ＵＲＬ特定情報記憶手段４２のＵＲＬ特定情報１を１、ＵＲＬ特定情報２を１に初期化するための書き込み信号をＵＲＬ特定情報記憶手段４２に送出し、ＵＲＬ特定情報を初期化する。
【０１００】
また、制御手段６０から受信したＵＲＬ特定情報１と一致する巡回グループ番号が存在するが、ＵＲＬ特定情報２と一致する設定番号が、ブックマーク情報記憶手段４１に存在しない場合、ブックマーク情報記憶手段４１は、制御手段６０に読み出しできない旨の読み出し結果信号を送出する。制御手段６０は、読み出しできない旨の読み出し結果信号を受信すると、ＵＲＬ特定情報記憶手段４２のＵＲＬ特定情報１に１を加算した値と、ＵＲＬ特定情報２を１に初期化するための書き込み信号をＵＲＬ特定情報記憶手段４２に送出し、ＵＲＬ特定情報を更新する。
【０１０１】
制御手段６０は、ブックマーク情報記憶手段４１からＵＲＬを読み出すと、そのＵＲＬに基づいて通信要求信号を無線通信手段５０に送出する。無線通信手段５０は、制御手段６０から受信したＵＲＬに無線通信によって接続し、そのＵＲＬが示す場所にあるコンテンツ情報を取得する。そして、無線通信手段５０は、取得したコンテンツ情報を制御手段６０に通信応答信号として送出する（ステップＳ７）。
【０１０２】
制御手段６０は、無線通信手段５０から受信したコンテンツ情報を表示手段３０に表示信号として送出する。表示手段３０は、制御手段６０から受信した表示信号の内容に従って、コンテンツ情報を表示する（ステップＳ８）。
【０１０３】
表示手段３０に表示信号を送出した後、制御手段６０は、ステップＳ５で受信したＵＲＬ特定情報２に１を加算した２を書き込み信号として、ＵＲＬ特定情報記憶手段４２に送出する。そして、ＵＲＬ特定情報記憶手段４２は、制御手段６０から受信した書き込み信号に従って、ＵＲＬ特定情報２を２に更新する（ステップＳ９）。ＵＲＬ特定情報の更新を行うことで、制御手段６０は、入力手段２０からの入力信号と予め設定された制御条件とが一致する度に、ブックマーク情報記憶手段４１に記憶されている複数のＵＲＬから異なる１つのＵＲＬを読み出すことができる。
【０１０４】
以降、制御手段６０は、Ｗｅｂブラウザが終了するまで、ステップＳ２〜ステップＳ９を繰り返す。
【０１０５】
再度、入力信号と制御条件が一致すると（ステップＳ３、Ｙｅｓ）、制御手段６０は、ＵＲＬ特定情報記憶手段４２に記憶されているＵＲＬ特定情報１（１）と、ＵＲＬ特定情報２（２）とを読み出し（ステップＳ５）、ブックマーク情報記憶手段４１から、ＵＲＬ特定情報と一致する設定番号を持ったブックマーク情報のＵＲＬ（この例では、ｈｔｔｐ：／／ｄｄｄ．ｃｏ．ｊｐ／ｉｎｄｅｘ．ｈｔｍｌ）を読み出す（ステップＳ６）。また、制御手段６０は、そのＵＲＬに基づいた通信要求信号を無線通信手段５０に送出して、コンテンツ情報を取得し（ステップＳ７）、表示手段３０に表示させる（ステップＳ８）。さらに、制御手段６０は、ステップＳ５で受信したＵＲＬ特定情報２に１を加算した３を書き込み信号として、ＵＲＬ特定情報記憶手段４２に送出する。そして、ＵＲＬ特定情報記憶手段４２は、制御手段６０から受信した書き込み信号に従って、ＵＲＬ特定情報２を３に更新する（ステップＳ９）。
【０１０６】
ここで、また、入力信号と制御条件が一致すると（ステップＳ３、Ｙｅｓ）、制御手段６０は、ＵＲＬ特定情報記憶手段４２に記憶されているＵＲＬ特定情報１（１）と、ＵＲＬ特定情報２（３）を読み出し（ステップＳ５）、ブックマーク情報記憶手段４１から、ＵＲＬ特定情報と一致する設定番号を持ったブックマーク情報のＵＲＬ（この例では、ｈｔｔｐ：／／ｆｆｆ．ｃｏ．ｊｐ／ｉｎｄｅｘ．ｈｔｍｌ）を読み出す（ステップＳ６）。また、制御手段６０は、そのＵＲＬに基づいた通信要求信号を無線通信手段５０に送出して、コンテンツ情報を取得し（ステップＳ７）、表示手段３０に表示させる（ステップＳ８）。さらに、制御手段６０は、ステップＳ５で受信したＵＲＬ特定情報２に１を加算した４を書き込み信号として、ＵＲＬ特定情報記憶手段４２に送出する。そして、ＵＲＬ特定情報記憶手段４２は、制御手段６０から受信した書き込み信号に従って、ＵＲＬ特定情報２を４に更新する（ステップＳ９）。
【０１０７】
ここで、さらに、入力信号と制御条件が一致すると（ステップＳ３、Ｙｅｓ）、制御手段６０は、ＵＲＬ特定情報記憶手段４２に記憶されているＵＲＬ特定情報１（１）と、ＵＲＬ特定情報２（４）を読み出し（ステップＳ５）、ブックマーク情報記憶手段４１から、ＵＲＬ特定情報と一致する設定番号を持ったブックマーク情報のＵＲＬを読み出そうとする。しかしながら、ブックマーク情報記憶手段４１は、巡回グループ番号が１で、且つ設定番号が４を持つ巡回ブックマークは存在しないため、読み出しできない旨の読み出し結果信号を制御手段６０に送出する。制御手段６０は、読み出しできない旨の読み出し結果信号を受信すると、ＵＲＬ特定情報記憶手段４２のＵＲＬ特定情報１に１を加算した値（２）と、ＵＲＬ特定情報２を１に初期化するための書き込み信号をＵＲＬ特定情報記憶手段４２に送出し、ＵＲＬ特定情報１及びＵＲＬ特定情報２を更新する。
【０１０８】
なお、本実施の形態２では、巡回ブックマークのコンテンツ情報を順次閲覧するための制御条件を、巡回専用ボタンの押下動作として説明したが、巡回専用ボタンを設けずに、操作ボタン群２１の他の操作ボタン（例えば、数字ボタン、文字ボタン等）の押下動作、マイクロホン２２からの音声の入力動作（例えば、「つぎ」、「まえ」、「うしろ」等）、又は携帯電話端末１０の状態を示すセンサ（例えば、傾きセンサ等）の検出動作等から使用者が任意に設定できるようにしてもよい。
【０１０９】
また、本実施の形態２では、Ｗｅｂブラウザ起動後に巡回ブックマークを閲覧する場合、ＵＲＬ特定情報１及びＵＲＬ特定情報２を初期化するため、１番目に作成された巡回グループに最初に設定された巡回ブックマークに、常に最初は接続するように説明したが、初期化時に設定するＵＲＬ特定情報１及びＵＲＬ特定情報２を使用者が設定できるようにし、任意の巡回ブックマークのＵＲＬから接続を行うようにしてもよい。
【０１１０】
また、Ｗｅｂブラウザ起動後のＵＲＬ特定情報を初期化せず、前回Ｗｅｂブラウザ終了時に記憶していたＵＲＬ特定情報１及びＵＲＬ特定情報２が示す巡回ブックマークのＵＲＬから引き続いて、接続を行うようにしてもよい。
【０１１１】
また、任意の巡回ブックマークのＵＲＬから接続を開始する場合、同じ巡回グループに属する巡回ブックマークのコンテンツ情報を全て閲覧した後に、次の巡回グループの最初に設定されている巡回ブックマークのコンテンツ情報を閲覧するようにしてもよい。
【０１１２】
また、本実施の形態２では、入力信号が制御条件と一致した場合に接続するＵＲＬの特定順序が、巡回ブックマークとして設定された順番であるとして説明したが、ブックマーク情報記憶手段４１に閲覧回数をさらに記憶して、閲覧回数の多い順番に基づいて、接続するＵＲＬを特定するようにしてもよい。
【０１１３】
また、本実施の形態２では、巡回グループ番号１に属する全ての巡回ブックマークを閲覧した後に入力信号が制御条件と一致した場合、巡回グループ番号２の最初に設定された巡回ブックマークのコンテンツ情報を閲覧すると説明したが、使用者が予め設定した任意の巡回グループだけで、巡回ブックマークのコンテンツ情報を順次閲覧するようにしてもよい。
【０１１４】
また、本実施の形態２では、入力信号が制御条件と一致した場合に接続するＵＲＬの特定順序が、巡回ブックマークとして設定された順番（昇順）であるとして説明したが、さらに、他の制御条件を設けておき、入力信号が他の制御条件と一致した場合には、巡回ブックマークとして設定された順番（降順）で、接続するＵＲＬの特定を行うようにしてもよい。
【０１１５】
以上のように本発明の実施の形態２の携帯電話端末１０によれば、制御手段６０が入力手段２０から入力される入力信号と予め設定されている制御条件とが一致するか判定し、一致すると、巡回グループに属する巡回ブックマークとして登録されている複数のアドレスから、異なる１つのアドレスを特定することで、コンテンツ情報を順次閲覧するときの操作を簡略化することができる。
【０１１６】
（実施の形態３）
本発明の実施の形態３は、携帯電話端末に予め設定されている制御条件が、入力動作の条件と表示動作の条件との組み合わせからなる制御条件である場合を例として説明する。
【０１１７】
本発明の実施の形態３における携帯電話端末１０の構成は、上記実施の形態１と同様であるため、図２に記載のある参照符号を用いて説明する。
【０１１８】
また、本発明の実施の形態３におけるブックマーク情報記憶手段４１に予め記憶されている情報テーブルは図４（ｂ）と、ＵＲＬ特定情報記憶手段４２に予め記憶されているＵＲＬ特定情報と図５とそれぞれ同様であるものとして説明する。
【０１１９】
本実施の形態３における制御手段６０は、Ｗｅｂブラウザの動作モードとして、巡回ブックマークのコンテンツ情報のみ閲覧するモード（以下、巡回モード）を備える。この例では、Ｗｅｂブラウザで任意のコンテンツ情報を閲覧中に、機能ボタンを押下し、巡回モードに切換える旨の設定項目を選択することにより、巡回モードに切り替えることができるものとする。また、Ｗｅｂブラウザの動作モードが、巡回モードであるか否かは、制御手段６０が巡回モードフラグ（図示せず）により管理し、巡回モードに切り替えられると、巡回モードフラグをＯＮに設定する。
【０１２０】
巡回モードフラグがＯＮに設定されると、制御手段６０は、ＵＲＬ特定情報記憶手段４２のＵＲＬ特定情報（初期値１）に従って、ブックマーク情報記憶手段４１からブックマーク情報Ｂ１３のＵＲＬを読み出す。そして、無線通信手段５０を介して、読み出したＵＲＬへ接続し、取得したコンテンツ情報を表示手段３０に表示する。また、ＵＲＬ特定情報記憶手段４２のＵＲＬ特定情報に１を加算して更新する。
【０１２１】
図１１（ａ）〜図１１（ｃ）は、巡回モードにおいて、巡回ブックマークのコンテンツ情報を順次閲覧する場合の手順を示す画面例である。
【０１２２】
図１１（ａ）は、巡回モードフラグがＯＮに設定されたときに、表示手段３０に表示されるブックマーク情報Ｂ１３のコンテンツ情報を示す画面例である。
【０１２３】
図１１（ｂ１）は、巡回モードフラグがＯＦＦに設定されているときに、ブックマーク情報Ｂ１３のコンテンツ情報を表示し、操作ボタン群２１のうちの下方向ボタン（図示せず）を押下して、コンテンツ情報の最後部を表示手段３０に表示したときの画面例である。
【０１２４】
巡回モードがＯＦＦに設定されている場合、コンテンツ情報の最後部まで表示しているため、下カーソルアイコンＣ１は、下方向ボタン押下しても何も処理が行われない旨の表示となっている。
【０１２５】
図１１（ｂ２）は、巡回モードフラグがＯＮに設定されているときに、ブックマーク情報Ｂ１３のコンテンツ情報を表示し、下方向ボタンを押下して、コンテンツ情報の最後部を表示手段３０に表示したときの画面例である。
【０１２６】
巡回モードがＯＮに設定されている場合、コンテンツ情報の最後部まで表示していても、図１１（ｂ１）とは異なり、下カーソルアイコンＣ１は、下方向ボタン押下することにより処理が行われる旨の表示となっている。
【０１２７】
図１１（ｃ）は、図１１（ｂ２）において、下方向ボタンを押下後の画面例である。
【０１２８】
巡回モードがＯＮに設定されている場合に、コンテンツ情報の最後部を表示しているという表示動作の条件と、下方向操作ボタンを押下するという入力動作の条件との組み合わせからなる制御条件が満たされると、制御手段６０は、ＵＲＬ特定情報記憶手段４２からＵＲＬ特定情報（２）を読み出し、そのＵＲＬ特定情報に基づいて、ブックマーク情報記憶手段４１から、ブックマーク情報Ｂ１４のＵＲＬを読み出す。そして、無線通信手段５０を介して取得した、ブックマーク情報Ｂ１４のコンテンツ情報を表示手段３０に表示している。また、ＵＲＬ特定情報記憶手段４２のＵＲＬ特定情報に１を加算して更新する。ＵＲＬ特定情報の更新を行うことで、制御手段６０は、コンテンツ情報の最後部を表示しているという表示動作の条件と、下方向操作ボタンを押下するという入力動作の条件との組み合わせからなる制御条件が満たされる度に、ブックマーク情報記憶手段４１に記憶されている複数のＵＲＬから異なる１つのＵＲＬを読み出すことができる。
【０１２９】
以上のように本発明の実施の形態３の携帯電話端末１０によれば、制御手段６０が入力動作の条件と、表示動作の条件との組み合わせからなる制御条件と一致するか否かの判定を行い、一致するとの判定がなされると、巡回ブックマークとして登録されている複数のアドレスから、異なる１つのアドレスに接続することで、コンテンツ情報を順次閲覧するときの操作を簡略化することができる。また、表示内容に基づいて、上下方向操作ボタンを押下したときの動作を変化させることで、コンテンツ情報内の閲覧操作と、巡回ブックマークのコンテンツ情報の取得操作とを意識することなく行うことができる。
【０１３０】
本発明を詳細にまた特定の実施態様を参照して説明したが、本発明の精神と範囲を逸脱することなく様々な変更や修正を加えることができることは当業者にとって明らかである。
【０１３１】
本出願は、2005年6月28日出願の日本特許出願（特願2005−187677）に基づくものであり、その内容はここに参照として取り込まれる。
【図面の簡単な説明】
【０１３２】
【図１】本発明の実施の形態１、実施の形態２及び実施の形態３における携帯電話端末の概略構成を示すブロック図
【図２】本発明の実施の形態１、実施の形態２及び実施の形態３における携帯電話端末の詳細構成を示すブロック図
【図３】本発明の実施の形態１及び実施の形態３における携帯電話端末に巡回ブックマークを設定する際の画面例を示す図
【図４】本発明の実施の形態１及び実施の形態３における携帯電話端末のブックマーク情報記憶手段に記憶されている情報テーブルを示す図
【図５】本発明の実施の形態1及び実施の形態３における携帯電話端末のＵＲＬ特定情報記憶手段に記憶されているＵＲＬ特定情報を示す図
【図６】本発明の実施の形態１、実施の形態２及び実施の形態３における携帯電話端末の処理手順を示すフローチャート
【図７】本発明の実施の形態１における携帯電話端末の巡回専用ボタンを押下したときの画面例を示す図
【図８】本発明の実施の形態２における携帯電話端末に巡回グループを作成し、巡回ブックマークを設定する際の画面例を示す図
【図９】本発明の実施の形態２における携帯電話端末のブックマーク情報記憶手段に記憶されている情報テーブルを示す図
【図１０】本発明の実施の形態２における携帯電話端末のＵＲＬ特定情報記憶手段に記憶されているＵＲＬ特定情報１及びＵＲＬ特定情報２を示す図
【図１１】本発明の実施の形態３における携帯電話端末の下方向ボタンを押下したときの画面例を示す図
【符号の説明】
【０１３３】
１０  携帯電話端末
２０  入力手段
２１  操作ボタン群
２２  マイクロホン
３０  表示手段
４０  記憶手段
４１  ブックマーク情報記憶手段
４２  ＵＲＬ特定情報記憶手段
５０  無線通信手段
６０  制御手段
Ｂ１１、Ｂ１２、Ｂ１３、Ｂ１４、Ｂ１５  ブックマーク情報
Ｂ２１、Ｂ２２、Ｂ２３、Ｂ２４、Ｂ２５、Ｂ２６  ブックマーク情報
Ｃ１  下カーソルアイコン
【産業上の利用可能性】
【０１３４】
以上のように、本発明にかかる情報端末装置及び情報端末制御方法は、同一の入力動作に複数のアドレスを対応付けることができると共に、コンテンツ情報を順次閲覧する場合の操作を簡略化することができるという効果を有し、小型化に伴い画面表示能力や入力手段の限られた携帯電話端末等として有用である。
【手続補正３】
【補正対象書類名】図面
【補正対象項目名】全図
【補正方法】変更
【補正の内容】
【図１】
2007001027.tif 000013
【図２】
2007001027.tif 000014
【図３】
2007001027.tif 000015
【図４】
2007001027.tif 000016
【図５】
2007001027.tif 000017
【図６】
2007001027.tif 000018
【図７】
2007001027.tif 000019
【図８】
2007001027.tif 000020
【図９】
2007001027.tif 000021
【図１０】
2007001027.tif 000022
【図１１】
2007001027.tif 000023
【国際調査報告】
2007001027.tif 000024
2007001027.tif 000025
2007001027.tif 000026
2007001027.tif 000027